(57)【特許請求の範囲】
【請求項１】
近接場光を利用して光記録媒体に信号を記録する信号記録装置において、
レーザー光を出射する光源と、
上記光記録媒体の信号記録面に近接位置され、上記光記録媒体に上記レーザー光による近接場光を集光させる光学手段と、
上記光記録媒体へ信号を記録する際に、上記光源からのレーザー光のレーザー強度を自動制御するレーザー強度自動制御手段と、
上記光記録媒体へ信号を記録するために上記光源から出射されたレーザー光の強度に応じて、上記光学手段からの戻り光の光量を補正する光量補正手段と、
上記戻り光の光量に応じて、上記光学手段と上記光記録媒体の信号記録面との間の距離を制御するフォーカス制御手段とを備え、
上記光量補正手段は、上記光学手段からの戻り光の光量のオフセットを調整する第１の信号校正部と、上記レーザー強度自動制御手段によってレーザー強度が自動制御された上記光源からの上記レーザー光の光量のオフセットを調整する第２の信号校正部と、所定の電圧値を設定する基準電圧設定部と、上記基準電圧設定部によって設定された上記所定の電圧値を上記第２の信号校正部によってオフセットが調整された上記レーザー光の光量の電圧値で除算する演算部と、上記第１の信号校正部によってオフセットが調整された上記戻り光の光量の電圧値と上記演算部によって得られた除算値とを乗算して一定値を取得する乗算部とを有し、
上記フォーカス制御手段は、上記乗算部によって取得された一定値に基づいて上記光学手段と上記光記録媒体の信号記録面との間の距離を一定に制御する信号記録装置。
【請求項２】
上記第１の信号校正部は、上記光学手段からの戻り光の光量のゲインを調整し、上記第２の信号校正部は、上記レーザー強度自動制御手段によってレーザー強度が自動制御された上記光源からの上記レーザー光の光量のゲインを上記第１の信号校正部によって調整されたゲインと同じ値となるように調整する請求項１記載の信号記録装置。
【請求項３】
上記光量補正手段は、上記一定値を取得することにより、上記光学手段からの戻り光の光量を制御目標値に対して標準化する請求項１記載の信号記録装置。
【請求項４】
上記光記録媒体が記録媒体原盤とされるカッティング装置である請求項１記載の信号記録装置。
【請求項５】
上記光学手段は、ＳＩＬ（Solid Immersion Lens）又はＳＩＭ（Solid Immersion Mirror）を備えて構成されている請求項１記載の信号記録装置。
【請求項６】
近接場光を利用して光記録媒体に信号を記録する信号記録方法において、上記光記録媒体へ信号を記録するために光源から出射されたレーザー光の強度に応じて、上記光記録媒体の信号記録面に近接位置され、上記光記録媒体に光源から出射されたレーザー光による近接場光を集光させる光学手段からの戻り光を補正し、上記戻り光の光量に応じて、上記光学手段と上記光記録媒体の信号記録面との間の距離を制御するフォーカス制御を行う信号記録方法であって、
上記光学手段からの戻り光の光量のオフセットを調整し、レーザー強度が自動制御された上記光源からの上記レーザー光の光量のオフセットを調整し、所定の電圧値を設定し、上記設定された上記所定の電圧値を上記オフセットが調整された上記レーザー光の光量の電圧値で除算し、上記オフセットが調整された上記戻り光の光量の電圧値と上記除算値とを乗算して一定値を取得し、上記取得された一定値に基づいて上記光学手段と上記光記録媒体の信号記録面との間の距離を一定に制御するフォーカス制御を行う信号記録方法。
【請求項７】
近接場光を利用して光記録媒体から信号を再生する信号再生装置において、
レーザー光を出射する光源と、
上記光記録媒体の信号記録面に近接位置され、上記光記録媒体に上記レーザー光による近接場光を集光させる光学手段と、
上記光記録媒体へ信号を記録する際に、上記光源からのレーザー光のレーザー強度を自動制御するレーザー強度自動制御手段と、
上記光記録媒体から信号を再生するために上記光源から出射されたレーザー光の強度に応じて、上記光学手段からの戻り光の光量を補正する光量補正手段と、
上記戻り光の光量に応じて、上記光学手段と上記光記録媒体の信号記録面との間の距離を制御するフォーカス制御手段とを備え、
上記光量補正手段は、上記光学手段からの戻り光の光量のオフセットを調整する第１の信号校正部と、上記レーザー強度自動制御手段によってレーザー強度が自動制御された上記光源からの上記レーザー光の光量のオフセットを調整する第２の信号校正部と、所定の電圧値を設定する基準電圧設定部と、上記基準電圧設定部によって設定された上記所定の電圧値を上記第２の信号校正部によってオフセットが調整された上記レーザー光の光量の電圧値で除算する演算部と、上記第１の信号校正部によってオフセットが調整された上記戻り光の光量の電圧値と上記演算部によって得られた除算値とを乗算して一定値を得る乗算部とを有し、
上記フォーカス制御手段は、上記乗算部によって得られた一定値に基づいて上記光学手段と上記光記録媒体の信号記録面との間の距離を一定に制御する信号再生装置。
【請求項８】
近接場光を利用して光記録媒体から信号を再生する信号再生方法において、
上記光記録媒体から信号を再生するために光源から出射されたレーザー光の強度に応じて、上記光記録媒体の信号記録面に近接位置され、上記光記録媒体に上記レーザー光による近接場光を集光させる光学手段からの戻り光を補正し、上記戻り光の光量に応じて、上記光学手段と上記光記録媒体の信号記録面との間の距離を制御するフォーカス制御を行う信号再生方法であって、
上記光学手段からの戻り光の光量のオフセットを調整し、上記光記録媒体へ信号を記録する際に、上記光源からのレーザー光のレーザー強度が自動制御された上記光源からの上記レーザー光の光量のオフセットを調整し、所定の電圧値を設定し、当該所定の電圧値を上記オフセットが調整された上記レーザー光の光量の電圧値で除算し、上記オフセットが調整された上記戻り光の光量の電圧値と上記除算値とを乗算して一定値を取得し、上記取得された一定値に基づいて上記光学手段と上記光記録媒体の信号記録面との間の距離を一定に制御するフォーカス制御を行う信号再生方法。
【請求項９】
近接場光を利用して光記録媒体に信号を記録する信号記録装置において、
レーザー光を出射する光源と、
上記光記録媒体の信号記録面に近接位置され、上記光記録媒体に上記レーザー光による近接場光を集光させる光学手段と、
上記光学手段からの戻り光の中心部の光量に応じて、当該戻り光の光量を補正する光量補正手段と、
上記戻り光の光量に応じて、上記光学手段と上記光記録媒体の信号記録面との間の距離を制御するフォーカス制御手段とを備え、
上記光量補正手段は、上記光学手段からの戻り光の光量のオフセットを調整する第１の信号校正部と、上記光学手段からの戻り光の中心部の光量のオフセットを調整する第２の信号校正部と、所定の電圧値を設定する基準電圧設定部と、上記基準電圧設定部によって設定された上記所定の電圧値を上記第２の信号校正部によってオフセットが調整された上記中心部の光量の電圧値で除算する演算部と、上記第１の信号校正部によってオフセットが調整された上記戻り光の光量の電圧値と上記演算部によって得られた除算値とを乗算して一定値を取得する乗算部とを有し、
上記フォーカス制御手段は、上記乗算部によって取得された一定値に基づいて上記光学手段と上記光記録媒体の信号記録面との間の距離を一定に制御する信号記録装置。
【請求項１０】
上記第１の信号校正部は、上記光学手段からの戻り光の光量のゲインを調整し、上記第２の信号校正部は、上記光学手段からの戻り光の中心部の光量のゲインを上記第１の信号校正部によって調整されたゲインと同じ値となるように調整する請求項９記載の信号記録装置。
【請求項１１】
上記光量補正手段は、上記一定値を取得することにより、上記光学手段からの戻り光の光量を制御目標値に対して標準化する請求項９記載の信号記録装置。
【請求項１２】
上記光記録媒体へ信号を記録する際に、上記光源からのレーザー光のレーザー強度を自動制御するレーザー強度自動制御手段を備えている請求項９記載の信号記録装置。
【請求項１３】
近接場光を利用して光記録媒体に信号を記録する信号記録方法において、上記光記録媒体の信号記録面に近接位置され、上記光記録媒体にレーザー光による近接場光を集光させる光学手段からの戻り光を、当該戻り光の中心部の光量に応じて補正し、上記戻り光の光量に応じて、上記光学手段と上記光記録媒体の信号記録面との間の距離を制御するフォーカス制御を行う信号記録方法であって、
上記光学手段からの戻り光の光量のオフセットを調整し、上記光学手段からの戻り光の中心部の光量のオフセットを調整し、所定の電圧値を設定し、上記設定された上記所定の電圧値を上記オフセットが調整された上記中心部の光量の電圧値で除算し、上記オフセットが調整された上記戻り光の光量の電圧値と上記取得された除算値とを乗算して一定値を取得し、上記取得された一定値に基づいて上記光学手段と上記光記録媒体の信号記録面との間の距離を一定に制御するフォーカス制御を行う信号記録方法。
【請求項１４】
近接場光を利用して光記録媒体から信号を再生する信号再生装置において、
レーザー光を出射する光源と、
上記光記録媒体の信号記録面に近接位置され、上記光記録媒体に上記レーザー光による近接場光を集光させる光学手段と、
上記光学手段からの戻り光の中心部の光量に応じて、当該戻り光の光量を補正する光量補正手段と、
上記戻り光の光量に応じて、上記光学手段と上記光記録媒体の信号記録面との間の距離を制御するフォーカス制御手段とを備え、
上記光量補正手段は、上記光学手段からの戻り光の光量のオフセットを調整する第１の信号校正部と、上記光学手段からの戻り光の中心部の光量のオフセットを調整する第２の信号校正部と、所定の電圧値を設定する基準電圧設定部と、上記基準電圧設定部によって設定された上記所定の電圧値を上記第２の信号校正部によってオフセットが調整された上記中心部の光量の電圧値で除算する演算部と、上記第１の信号校正部によってオフセットが調整された上記戻り光の光量の電圧値と上記演算部によって得られた除算値とを乗算して一定値を取得する乗算部とを有し、
上記フォーカス制御手段は、上記乗算部によって取得された一定値に基づいて上記光学手段と上記光記録媒体の信号記録面との間の距離を一定に制御する信号再生装置。
【請求項１５】
近接場光を利用して光記録媒体から信号を再生する信号再生方法において、上記光記録媒体の信号記録面に近接位置され、上記光記録媒体にレーザー光による近接場光を集光させる光学手段からの戻り光を、当該戻り光の中心部の光量に応じて補正し、上記戻り光の光量に応じて、上記光学手段と上記光記録媒体の信号記録面との間の距離を制御するフォーカス制御を行う信号再生方法であって、
上記光学手段からの戻り光の光量のオフセットを調整し、上記光学手段からの戻り光の中心部の光量のオフセットを調整し、所定の電圧値を設定し、上記設定された上記所定の電圧値を上記オフセットが調整された上記中心部の光量の電圧値で除算し、上記オフセットが調整された上記戻り光の光量の電圧値と上記取得された除算値とを乗算して一定値を取得し、上記取得された一定値に基づいて上記光学手段と上記光記録媒体の信号記録面との間の距離を一定に制御するフォーカス制御を行う信号再生方法。
【請求項１６】
近接場光を利用して光記録媒体に信号を記録する信号記録装置において、
レーザー光を出射する光源と、
上記光記録媒体の信号記録面に近接位置され、上記光記録媒体に上記レーザー光による近接場光を集光させる光学手段と、
上記光記録媒体へ信号を記録する際に、上記光源からのレーザー光のレーザー強度を自動制御するレーザー強度自動制御手段と、
上記光記録媒体へ信号を記録するために上記光源から出射されたレーザー光の強度に応じて、制御目標値を補正する目標値補正手段と、
上記目標値補正手段が補正した制御目標値に基づいて、上記光学手段と上記光記録媒体の信号記録面との間の距離制御を行うフォーカス制御手段とを備え、
上記目標値補正手段は、上記レーザー強度自動制御手段によってレーザー強度が自動制御された上記光源からの上記レーザー光の光量のオフセットを調整する信号校正部と、上記フォーカス制御手段の制御目標電圧値を設定する制御目標電圧値設定部と、上記信号校正部によってオフセットが調整された上記レーザー光の光量の電圧値と上記制御目標電圧値設定部によって設定された上記制御目標電圧値とを乗算して当該乗算値を上記補正した制御目標値として取得する乗算部とを有する信号記録装置。
【請求項１７】
上記信号校正部は、上記レーザー強度自動制御手段によってレーザー強度が自動制御された上記光源からの上記レーザー光の光量のゲインを調整する請求項１６記載の信号記録装置。
【請求項１８】
近接場光を利用して光記録媒体に信号を記録する信号記録方法において、上記光記録媒体へ信号を記録するために光源から出射されたレーザー光の強度に応じて、制御目標値を補正し、補正した制御目標値に基づいて、上記光記録媒体の信号記録面と、当該信号記録面に近接位置され、上記光記録媒体に上記レーザー光による近接場光を集光させる光学手段との間の距離を制御するフォーカス制御を行う信号記録方法であって、
レーザー強度が自動制御された上記光源からの上記レーザー光の光量のオフセットを調整し、フォーカス制御における制御目標電圧値を設定し、上記オフセットが調整された上記レーザー光の光量の電圧値と上記設定された上記制御目標電圧値とを乗算して当該乗算値を上記補正した制御目標値として取得し、上記補正した制御目標値に基づいて、上記光学手段と上記光記録媒体の信号記録面との間の距離を制御するフォーカス制御を行う信号記録方法。
【請求項１９】
近接場光を利用して光記録媒体から信号を再生する信号再生装置において、
レーザー光を出射する光源と、
上記光記録媒体の信号記録面に近接位置され、上記光記録媒体に上記レーザー光による近接場光を集光させる光学手段と、
上記光記録媒体へ信号を記録する際に、上記光源からのレーザー光のレーザー強度を自動制御するレーザー強度自動制御手段と、
上記光記録媒体から信号を再生するために上記光源から出射されたレーザー光の強度に応じて、制御目標値を補正する目標値補正手段と、
上記目標値補正手段が補正した制御目標値に基づいて、上記光学手段と上記光記録媒体の信号記録面との間の距離制御を行うフォーカス制御手段とを備え、
上記目標値補正手段は、上記レーザー強度自動制御手段によってレーザー強度が自動制御された上記光源からの上記レーザー光の光量のオフセットを調整する信号校正部と、上記フォーカス制御手段の制御目標電圧値を設定する制御目標電圧値設定部と、上記信号校正部によってオフセットが調整された上記レーザー光の光量の電圧値と上記制御目標電圧値設定部によって設定された上記制御目標電圧値とを乗算して当該乗算値を上記補正した制御目標値として取得する乗算部とを有する信号再生装置。
【請求項２０】
近接場光を利用して光記録媒体から信号を再生する信号再生方法において、上記光記録媒体から信号を再生するために光源から出射されたレーザー光の強度に応じて、制御目標値を補正し、補正した制御目標値に基づいて、上記光記録媒体の信号記録面と、当該信号記録面に近接位置され、上記光記録媒体に上記レーザー光による近接場光を集光させる光学手段との間の距離を制御するフォーカス制御を行う信号再生方法であって、
レーザー強度が自動制御された上記光源からの上記レーザー光の光量のオフセットを調整し、上記フォーカス制御における制御目標電圧値を設定し、上記オフセットが調整された上記レーザー光の光量の電圧値と上記設定された上記制御目標電圧値とを乗算して当該乗算値を上記補正した制御目標値として取得し、上記補正した制御目標値に基づいて、上記光学手段と上記光記録媒体の信号記録面との間の距離を制御するフォーカス制御を行う信号再生方法。
【請求項２１】
近接場光を利用して光記録媒体に信号を記録する信号記録装置において、
レーザー光を出射する光源と、
上記光記録媒体の信号記録面に近接位置され、上記光記録媒体に上記レーザー光による近接場光を集光させる光学手段と、
上記光学手段からの戻り光の中心部の光量に応じて、制御目標値を補正する目標値補正手段と、
上記目標値補正手段が補正した制御目標値に基づいて、上記光学手段と上記光記録媒体の信号記録面との間の距離制御を行うフォーカス制御手段とを備え、
上記目標値補正手段は、上記光学手段からの戻り光の中心部の光量のオフセットを調整する信号校正部と、上記フォーカス制御手段の制御目標電圧値を設定する制御目標電圧値設定部と、上記信号校正部によってオフセットが調整された上記中心部の光量の電圧値と上記制御目標電圧値設定部によって設定された上記制御目標電圧値とを乗算して当該乗算値を上記補正した制御目標値として取得する信号記録装置。
【請求項２２】
上記信号校正部は、上記光学手段からの戻り光の中心部の光量のゲインを調整する請求項２１記載の信号記録装置。
【請求項２３】
上記光記録媒体へ信号を記録する際に、上記光源からのレーザー光のレーザー強度を自動制御するレーザー強度自動制御手段を備えている請求項２１記載の信号記録装置。
【請求項２４】
近接場光を利用して光記録媒体に信号を記録する信号記録方法において、上記光記録媒体の信号記録面に近接位置され、上記光記録媒体にレーザー光による近接場光を集光させる光学手段からの戻り光の中心部の光量に応じて、制御目標値を補正し、補正した制御目標値に基づいて、上記光記録媒体の信号記録面と上記光学手段との間の距離を制御するフォーカス制御を行う信号記録方法であって、
上記光学手段からの戻り光の中心部の光量のオフセットを調整し、上記フォーカス制御における制御目標電圧値を設定し、上記オフセットが調整された上記中心部の光量の電圧値と上記設定された上記制御目標電圧値とを乗算して当該乗算値を上記補正した制御目標値として取得する信号記録方法。
【請求項２５】
近接場光を利用して光記録媒体から信号を再生する信号再生装置において、
レーザー光を出射する光源と、
上記光記録媒体の信号記録面に近接位置され、上記光記録媒体に上記レーザー光による近接場光を集光させる光学手段と、
上記光学手段からの戻り光の中心部の光量に応じて、上記制御目標値を補正する目標値補正手段と、
上記目標値補正手段が補正した制御目標値に基づいて、上記光学手段と上記光記録媒体の信号記録面との間の距離制御を行うフォーカス制御手段とを備え、
上記目標値補正手段は、上記光学手段からの戻り光の中心部の光量のオフセットを調整する信号校正部と、上記フォーカス制御手段の制御目標電圧値を設定する制御目標電圧値設定部と、上記信号校正部によってオフセットが調整された上記中心部の光量の電圧値と上記制御目標電圧値設定部によって設定された上記制御目標電圧値とを乗算して当該乗算値を上記補正した制御目標値として取得する信号再生装置。
【請求項２６】
近接場光を利用して光記録媒体から信号を再生する信号再生方法において、上記光記録媒体の信号記録面に近接位置され、上記光記録媒体にレーザー光による近接場光を集光させる光学手段からの戻り光の中心部の光量に応じて、制御目標値を補正し、補正した制御目標値に基づいて、上記光記録媒体の信号記録面と上記光学手段との間の距離を制御するフォーカス制御を行う信号再生方法であって、
上記光学手段からの戻り光の中心部の光量のオフセットを調整し、上記フォーカス制御における制御目標電圧値を設定し、上記オフセットが調整された上記中心部の光量の電圧値と上記設定された上記制御目標電圧値とを乗算して当該乗算値を上記補正した制御目標値として取得する信号再生方法。
【発明の詳細な説明】
【０００１】
【発明の属する技術分野】
本発明は、光記録媒体に信号を記録する信号記録装置及びその方法、並びに光記録媒体から信号を再生する信号再生装置及びその方法に関する。
【０００２】
【従来の技術】
記録及び／又は再生の手段として、２群レンズから構成されるＳＩＬ（Solid Immersion Lens）や単レンズとされるＳＩＭ（Solid Immersion Mirror）等の固体浸レンズにより近接場光を利用するものがある。このような近接場光を利用することにより、光ディスクの高密度化のニーズに対応してスポット径を一層微小化させることが可能となっている。ＳＩＬは、集光レンズと光記録媒体とされる光ディスクとの間に介在されており、球形レンズの一部を切り取った形状をした高屈折率のレンズであり、球面を集光レンズ側に、その反対側の面を光ディスクの信号記録面に向けて配置されている。このようなＳＩＬを集光レンズと光ディスクとの間に介在させることにより、当該集光レンズの開口数よりも大きな開口数を実現でき、これにより、上述したように、スポット径を一層微小化させることが可能となる。
【０００３】
ＳＩＬを用いて光ディスクに対する記録や再生を行うには、記録レーザーをＳＩＬ端面に集光させ、かつＳＩＬ端面（ＳＩＬにおける光ディスクとの対向面）と光ディスクの距離を近接場光が生じる距離（光の波長1/2以下、代表的には200ｎｍ程度以下）まで接近させ、かつその距離を一定にさせ、光ディスクにおける集光スポットを一定にする必要がある。
【０００４】
【発明が解決しようとする課題】
ところで、ＳＩＬ端面と光ディスクと間の距離を一定に制御するフォーカス制御としては、光記録媒体に照射すべき光を集光する第１の光学手段と、第１の光学手段の開口数よりも大きな開口数を実現するために第１の光学手段と光ディスクとの間に介在させる第２の光学手段と、第２の光学手段の端面と光ディスクとの間のニアフィールド領域内における光ディスクからの全反射戻り光量（具体的には、光ディスクに対向する照射面からの戻り光量）の線形特性を用いて第２の光学手段と光ディスクとの間の距離を所定の位置に保持する手段がある。このような技術は、例えば本願出願人によりなされたの先の出願（特願平11-253296号）に詳細に記載されている。
【０００５】
このようなフォーカス制御においては、全反射戻り光量の線形特性を利用して制御を行っているので、光ディスクに照射すべき光の強度（照射光強度或いはレーザーパワー）を変更すると、それに応じてファーフィールド領域での全反射戻り光量が変動してしまい、実質的にフォーカス制御目標値がずれてしまうことになる。フォーカス制御目標値がずれてしまうと、本来のフォーカスさせたかった位置からずれた位置でフォーカス制御を引き込んでしまい、ＳＩＬ端面と光記録媒体間との間の距離が、照射光強度の変更に応じて変化してしまう。このことは、ニアフィールド領域においてエバネセント結合してはいるが、そのときの結合パワーが変化することと等価であり、これにより、安定した信号の記録や再生が不可能になる。
【０００６】
このようなことから、光ディスクに照射光強度を変更する度に、手動でフォーカス制御目標値を変更或いは全反射戻り光量を制御目標値に対して規格化（標準化）することで、フォーカス制御後のＳＩＬ端面と光ディスクの信号記録面との間の距離を変化しないようにしていた。
【０００７】
ところで、このような技術には以下のような問題点がある。
【０００８】
第１に、光ディスクに照射すべき光の強度を変更する度に、手動でフォーカス制御の制御目標値を変更或いは全反射戻り光量を制御目標値に対して規格化（以下、まとめて調整という。）しなければならず、この際には、フォーカス制御動作を一度停止する必要があった。よって、光ディスクに対する記録や再生の際の光強度を種々変更して、連続して情報の記録や再生を行うことは不可能であった。
【０００９】
第２に、上述の調整をする際に、フォーカスを停止して手動で調整するので、調整前後誤差が生じ、記録や再生の信頼性が損なわれる恐れがあった。すなわち、記録や再生される信号の品質が悪くなる恐れがあった。
【００１０】
そこで、本発明は、上述の実情に鑑みてなされたものであり、近接場光を利用した信号の記録又は再生をする場合において、照射光強度（レーザーパワー）の変更に依存せずにレンズ端面（光学手段）と記録媒体間との間の距離を一定に保持することを可能にする信号記録装置及びその方法、並びに信号再生装置及びその方法を提供することを目的としている。
【００１１】
【課題を解決するための手段】
本発明に係る信号記録装置は、上述の課題を解決するために、近接場光を利用して光記録媒体に信号を記録する信号記録装置において、レーザー光を出射する光源と、光記録媒体の信号記録面に近接位置され、光記録媒体にレーザー光による近接場光を集光させる光学手段と、光記録媒体へ信号を記録する際に、光源からのレーザー光のレーザー強度を自動制御するレーザー強度自動制御手段と、光記録媒体へ信号を記録するために光源から出射されたレーザー光の強度に応じて、光学手段からの戻り光の光量を補正する光量補正手段と、上記戻り光の光量に応じて、光学手段と光記録媒体の信号記録面との間の距離を制御するフォーカス制御手段とを備え、光量補正手段は、光学手段からの戻り光の光量のオフセットを調整する第１の信号校正部と、レーザー強度自動制御手段によってレーザー強度が自動制御された光源からのレーザー光の光量のオフセットを調整する第２の信号校正部と、所定の電圧値を設定する基準電圧設定部と、基準電圧設定部によって設定された所定の電圧値を第２の信号校正部によってオフセットが調整されたレーザー光の光量の電圧値で除算する演算部と、第１の信号校正部によってオフセットが調整された戻り光の光量の電圧値と演算部によって得られた除算値とを乗算して一定値を取得する乗算部とを有し、フォーカス制御手段は、乗算部によって取得された一定値に基づいて光学手段と光記録媒体の信号記録面との間の距離を一定に制御する。
【００１２】
このような構成を備えた信号記録装置は、光量補正手段により、光学手段からの戻り光の光量のオフセットを調整し、レーザー強度が自動制御された光源からのレーザー光の光量のオフセットを調整し、所定の電圧値を設定し、設定された所定の電圧値をオフセットが調整されたレーザー光の光量の電圧値で除算し、オフセットが調整された戻り光の光量の電圧値と除算値とを乗算して一定値を取得し、取得された一定値に基づいて光学手段と光記録媒体の信号記録面との間の距離を一定に制御するフォーカス制御を行う。
【００１３】
また、本発明に係る信号記録方法は、上述の課題を解決するために、近接場光を利用して光記録媒体に信号を記録する信号記録方法であり、光記録媒体へ信号を記録するために光源から出射されたレーザー光の強度に応じて、光記録媒体の信号記録面に近接位置され、光記録媒体に光源から出射されたレーザー光による近接場光を集光させる光学手段からの戻り光を補正し、戻り光の光量に応じて、光学手段と光記録媒体の信号記録面との間の距離を制御するフォーカス制御を行う方法であって、光学手段からの戻り光の光量のオフセットを調整し、レーザー強度が自動制御された光源からのレーザー光の光量のオフセットを調整し、所定の電圧値を設定し、設定された所定の電圧値をオフセットが調整されたレーザー光の光量の電圧値で除算し、オフセットが調整された戻り光の光量の電圧値と除算値とを乗算して一定値を取得し、取得された一定値に基づいて光学手段と光記録媒体の信号記録面との間の距離を一定に制御するフォーカス制御を行う。
【００１４】
また、本発明に係る信号再生装置は、上述の課題を解決するために、近接場光を利用して光記録媒体から信号を再生する信号再生装置において、レーザー光を出射する光源と、光記録媒体の信号記録面に近接位置され、光記録媒体にレーザー光による近接場光を集光させる光学手段と、光記録媒体へ信号を記録する際に、光源からのレーザー光のレーザー強度を自動制御するレーザー強度自動制御手段と、光記録媒体から信号を再生するために上記光源から出射されたレーザー光の強度に応じて、光学手段からの戻り光の光量を補正する光量補正手段と、上記戻り光の光量に応じて、光学手段と光記録媒体の信号記録面との間の距離を制御するフォーカス制御手段とを備え、光量補正手段は、光学手段からの戻り光の光量のオフセットを調整する第１の信号校正部と、レーザー強度自動制御手段によってレーザー強度が自動制御された光源からのレーザー光の光量のオフセットを調整する第２の信号校正部と、所定の電圧値を設定する基準電圧設定部と、基準電圧設定部によって設定された所定の電圧値を第２の信号校正部によってオフセットが調整されたレーザー光の光量の電圧値で除算する演算部と、第１の信号校正部によってオフセットが調整された戻り光の光量の電圧値と演算部によって得られた除算値とを乗算して一定値を得る乗算部とを有し、フォーカス制御手段は、乗算部によって得られた一定値に基づいて光学手段と光記録媒体の信号記録面との間の距離を一定に制御する。
【００１５】
このような構成を備えた信号再生装置は、光量補正手段により、光学手段からの戻り光の光量のオフセットを調整し、光記録媒体へ信号を記録する際に、光源からのレーザー光のレーザー強度が自動制御された光源からのレーザー光の光量のオフセットを調整し、所定の電圧値を設定し、所定の電圧値をオフセットが調整されたレーザー光の光量の電圧値で除算し、オフセットが調整された戻り光の光量の電圧値と除算値とを乗算して一定値を取得し、フォーカス制御手段により、この取得された一定値に基づいて光学手段と光記録媒体の信号記録面との間の距離を一定に制御する。
【００１６】
また、本発明に係る信号再生方法は、上述の課題を解決するために、近接場光を利用して光記録媒体から信号を再生する信号再生方法において、光記録媒体から信号を再生するために光源から出射されたレーザー光の強度に応じて、光記録媒体の信号記録面に近接位置され、光記録媒体にレーザー光による近接場光を集光させる光学手段からの戻り光を補正し、戻り光の光量に応じて、光学手段と光記録媒体の信号記録面との間の距離を制御するフォーカス制御を行う信号再生方法であって、光学手段からの戻り光の光量のオフセットを調整し、光記録媒体へ信号を記録する際に、光源からのレーザー光のレーザー強度が自動制御された光源からのレーザー光の光量のオフセットを調整し、所定の電圧値を設定し、所定の電圧値をオフセットが調整されたレーザー光の光量の電圧値で除算し、オフセットが調整された戻り光の光量の電圧値と除算値とを乗算して一定値を取得し、取得された一定値に基づいて光学手段と光記録媒体の信号記録面との間の距離を一定に制御するフォーカス制御を行う。
【００１７】
また、本発明に係る信号記録装置は、上述の課題を解決するために、近接場光を利用して光記録媒体に信号を記録する信号記録装置において、レーザー光を出射する光源と、光記録媒体の信号記録面に近接位置され、光記録媒体にレーザー光による近接場光を集光させる光学手段と、光学手段からの戻り光の中心部の光量に応じて、当該戻り光の光量を補正する光量補正手段と、戻り光の光量に応じて、光学手段と光記録媒体の信号記録面との間の距離を制御するフォーカス制御手段とを備え、光量補正手段は、光学手段からの戻り光の光量のオフセットを調整する第１の信号校正部と、光学手段からの戻り光の中心部の光量のオフセットを調整する第２の信号校正部と、所定の電圧値を設定する基準電圧設定部と、基準電圧設定部によって設定された所定の電圧値を第２の信号校正部によってオフセットが調整された中心部の光量の電圧値で除算する演算部と、第１の信号校正部によってオフセットが調整された戻り光の光量の電圧値と演算部によって得られた除算値とを乗算して一定値を取得する乗算部とを有し、フォーカス制御手段は、乗算部によって取得された一定値に基づいて光学手段と光記録媒体の信号記録面との間の距離を一定に制御する。
【００１８】
このような構成を備えた信号記録装置は、光量補正手段により、光学手段からの戻り光の光量のオフセットを調整し、光学手段からの戻り光の中心部の光量のオフセットを調整し、所定の電圧値を設定し、設定された所定の電圧値をオフセットが調整された中心部の光量の電圧値で除算し、オフセットが調整された戻り光の光量の電圧値と取得された除算値とを乗算して一定値を取得し、フォーカス制御手段により、この取得された一定値に基づいて光学手段と光記録媒体の信号記録面との間の距離を一定に制御する。
【００１９】
また、本発明に係る信号記録方法は、上述の課題を解決するために、近接場光を利用して光記録媒体に信号を記録する信号記録方法であり、光記録媒体の信号記録面に近接位置され、光記録媒体にレーザー光による近接場光を集光させる光学手段からの戻り光を、当該戻り光の中心部の光量に応じて補正し、戻り光の光量に応じて、光学手段と光記録媒体の信号記録面との間の距離を制御するフォーカス制御を行う信号記録方法であって、光学手段からの戻り光の光量のオフセットを調整し、光学手段からの戻り光の中心部の光量のオフセットを調整し、所定の電圧値を設定し、設定された所定の電圧値をオフセットが調整された中心部の光量の電圧値で除算し、オフセットが調整された戻り光の光量の電圧値と取得された除算値とを乗算して一定値を取得し、取得された一定値に基づいて光学手段と光記録媒体の信号記録面との間の距離を一定に制御するフォーカス制御を行う。
【００２０】
また、本発明に係る信号再生装置は、上述の課題を解決するために、近接場光を利用して光記録媒体から信号を再生する信号再生装置において、レーザー光を出射する光源と、光記録媒体の信号記録面に近接位置され、光記録媒体にレーザー光による近接場光を集光させる光学手段と、光学手段からの戻り光の中心部の光量に応じて、当該戻り光の光量を補正する光量補正手段と、戻り光の光量に応じて、光学手段と光記録媒体の信号記録面との間の距離を制御するフォーカス制御手段とを備え、光量補正手段は、光学手段からの戻り光の光量のオフセットを調整する第１の信号校正部と、光学手段からの戻り光の中心部の光量のオフセットを調整する第２の信号校正部と、所定の電圧値を設定する基準電圧設定部と、基準電圧設定部によって設定された所定の電圧値を第２の信号校正部によってオフセットが調整された中心部の光量の電圧値で除算する演算部と、第１の信号校正部によってオフセットが調整された戻り光の光量の電圧値と演算部によって得られた除算値とを乗算して一定値を取得する乗算部とを有し、フォーカス制御手段は、乗算部によって取得された一定値に基づいて光学手段と光記録媒体の信号記録面との間の距離を一定に制御する。
【００２１】
このような構成を備えた信号再生装置は、光量補正手段により、光学手段からの戻り光の光量のオフセットを調整し、光学手段からの戻り光の中心部の光量のオフセットを調整し、所定の電圧値を設定し、設定された所定の電圧値をオフセットが調整された中心部の光量の電圧値で除算し、オフセットが調整された戻り光の光量の電圧値と取得された除算値とを乗算して一定値を取得し、フォーカス制御手段により、取得された一定値に基づいて光学手段と光記録媒体の信号記録面との間の距離を一定に制御するフォーカス制御を行う。
【００２２】
また、本発明に係る信号再生方法は、上述の課題を解決するために、近接場光を利用して光記録媒体から信号を再生する信号再生方法において、光記録媒体の信号記録面に近接位置され、光記録媒体にレーザー光による近接場光を集光させる光学手段からの戻り光を、当該戻り光の中心部の光量に応じて補正し、戻り光の光量に応じて、光学手段と光記録媒体の信号記録面との間の距離を制御する信号再生方法であって、光学手段からの戻り光の光量のオフセットを調整し、光学手段からの戻り光の中心部の光量のオフセットを調整し、所定の電圧値を設定し、設定された所定の電圧値をオフセットが調整された中心部の光量の電圧値で除算し、オフセットが調整された戻り光の光量の電圧値と取得された除算値とを乗算して一定値を取得し、取得された一定値に基づいて光学手段と光記録媒体の信号記録面との間の距離を一定に制御するフォーカス制御を行う。
【００２３】
また、本発明に係る信号記録装置は、上述の課題を解決するために、近接場光を利用して光記録媒体に信号を記録する信号記録装置において、レーザー光を出射する光源と、光記録媒体の信号記録面に近接位置され、光記録媒体にレーザー光による近接場光を集光させる光学手段と、光記録媒体へ信号を記録する際に、光源からのレーザー光のレーザー強度を自動制御するレーザー強度自動制御手段と、光記録媒体へ信号を記録するために光源から出射されたレーザー光の強度に応じて、制御目標値を補正する目標値補正手段と、目標値補正手段が補正した制御目標値に基づいて、光学手段と光記録媒体の信号記録面との間の距離制御を行うフォーカス制御手段とを備え、目標値補正手段は、レーザー強度自動制御手段によってレーザー強度が自動制御された光源からのレーザー光の光量のオフセットを調整する信号校正部と、フォーカス制御手段の制御目標電圧値を設定する制御目標電圧値設定部と、信号校正部によってオフセットが調整されたレーザー光の光量の電圧値と制御目標電圧値設定部によって設定された制御目標電圧値とを乗算してこの乗算値を補正した制御目標値として取得する乗算部とを有する。
【００２４】
このような構成を備える信号記録装置は、目標値補正手段により、レーザー強度が自動制御された光源からの上記レーザー光の光量のオフセットを調整し、フォーカス制御における制御目標電圧値を設定し、オフセットが調整されたレーザー光の光量の電圧値と設定された制御目標電圧値とを乗算してこの乗算値を補正した制御目標値として取得し、フォーカス制御手段により、補正した制御目標値に基づいて、光学手段と光記録媒体の信号記録面との間の距離を制御するフォーカス制御を行う。
【００２５】
この信号記録装置は、レーザー光の強度が変更された場合でも、当該レーザーの強度に応じて補正された制御目標値に基づいて距離制御を行う。
【００２６】
また、本発明に係る信号記録方法は、上述の課題を解決するために、近接場光を利用して光記録媒体に信号を記録する信号記録方法において、光記録媒体へ信号を記録するために光源から出射されたレーザー光の強度に応じて、制御目標値を補正し、補正した制御目標値に基づいて、光記録媒体の信号記録面と、当該信号記録面に近接位置され、光記録媒体にレーザー光による近接場光を集光させる光学手段との間の距離を制御するフォーカス制御を行う信号記録方法であって、レーザー強度が自動制御された光源からのレーザー光の光量のオフセットを調整し、フォーカス制御における制御目標電圧値を設定し、オフセットが調整されたレーザー光の光量の電圧値と設定された制御目標電圧値とを乗算してこの乗算値を補正した制御目標値として取得し、補正した制御目標値に基づいて、光学手段と光記録媒体の信号記録面との間の距離を制御するフォーカス制御を行う。
【００２７】
この信号記録方法は、レーザー光の強度が変更された場合でも、当該レーザーの強度に応じて補正された制御目標値に基づいて距離制御を行う。
【００２８】
また、本発明に係る信号再生装置は、上述の課題を解決するために、近接場光を利用して光記録媒体から信号を再生する信号再生装置において、レーザー光を出射する光源と、光記録媒体の信号記録面に近接位置され、光記録媒体にレーザー光による近接場光を集光させる光学手段と、光記録媒体へ信号を記録する際に、光源からのレーザー光のレーザー強度を自動制御するレーザー強度自動制御手段と、光記録媒体から信号を再生するために光源から出射されたレーザー光の強度に応じて、制御目標値を補正する目標値補正手段と、目標値補正手段が補正した制御目標値に基づいて、光学手段と光記録媒体の信号記録面との間の距離制御を行うフォーカス制御手段とを備え、目標値補正手段は、レーザー強度自動制御手段によってレーザー強度が自動制御された光源からのレーザー光の光量のオフセットを調整する信号校正部と、フォーカス制御手段の制御目標電圧値を設定する制御目標電圧値設定部と、信号校正部によってオフセットが調整されたレーザー光の光量の電圧値と制御目標電圧値設定部によって設定された制御目標電圧値とを乗算してこの乗算値を補正した制御目標値として取得する乗算部とを有する。
【００２９】
このような構成を備える信号再生装置は、目標値補正手段により、レーザー強度が自動制御された光源からのレーザー光の光量のオフセットを調整し、フォーカス制御における制御目標電圧値を設定し、オフセットが調整されたレーザー光の光量の電圧値と設定された制御目標電圧値とを乗算してこの乗算値を補正した制御目標値として取得し、フォーカス制御手段により、補正した制御目標値に基づいて、光学手段と光記録媒体の信号記録面との間の距離を制御する。
【００３０】
この信号再生装置は、レーザー光の強度が変更された場合でも、当該レーザーの強度に応じて補正された制御目標値に基づいて距離制御を行う。
【００３１】
また、本発明に係る信号再生方法は、上述の課題を解決するために、近接場光を利用して光記録媒体から信号を再生する信号再生方法において、光記録媒体から信号を再生するために光源から出射されたレーザー光の強度に応じて、制御目標値を補正し、補正した制御目標値に基づいて、光記録媒体の信号記録面と、当該信号記録面に近接位置され、光記録媒体にレーザー光による近接場光を集光させる光学手段との間の距離を制御するフォーカス制御を行う信号再生方法であって、レーザー強度が自動制御された光源からのレーザー光の光量のオフセットを調整し、フォーカス制御における制御目標電圧値を設定し、オフセットが調整されたレーザー光の光量の電圧値と設定された制御目標電圧値とを乗算してこの乗算値を補正した制御目標値として取得し、補正した制御目標値に基づいて、光学手段と光記録媒体の信号記録面との間の距離を制御するフォーカス制御を行う。
【００３２】
この信号再生方法は、レーザー光の強度が変更された場合でも、当該レーザーの強度に応じて補正された制御目標値に基づいて距離制御を行う。
【００３３】
また、本発明に係る信号記録装置は、上述の課題を解決するために、近接場光を利用して光記録媒体に信号を記録する信号記録装置において、レーザー光を出射する光源と、光記録媒体の信号記録面に近接位置され、光記録媒体にレーザー光による近接場光を集光させる光学手段と、光学手段からの戻り光の中心部の光量に応じて、制御目標値を補正する目標値補正手段と、目標値補正手段が補正した制御目標値に基づいて、光学手段と光記録媒体の信号記録面との間の距離制御を行うフォーカス制御手段とを備え、目標値補正手段は、光学手段からの戻り光の中心部の光量のオフセットを調整する信号校正部と、フォーカス制御手段の制御目標電圧値を設定する制御目標電圧値設定部と、信号校正部によってオフセットが調整された中心部の光量の電圧値と制御目標電圧値設定部によって設定された制御目標電圧値とを乗算してこの乗算値を補正した制御目標値として取得する。
【００３４】
このような構成を備える信号記録装置は、光学手段からの戻り光の中心部の光量の目標値補正手段により、オフセットを調整し、フォーカス制御における制御目標電圧値を設定し、オフセットが調整された中心部の光量の電圧値と設定された制御目標電圧値とを乗算してこの乗算値を補正した制御目標値として取得し、フォーカス制御手段により、補正した制御目標値に基づいて、光学手段と光記録媒体の信号記録面との間の距離制御を行う。
【００３５】
この信号記録装置は、例えばレーザー光の強度が変更された場合でも、当該レーザーの強度に応じて補正された制御目標値に基づいて距離制御を行う。
【００３６】
また、本発明に係る信号記録方法は、上述の課題を解決するために、近接場光を利用して光記録媒体に信号を記録する信号記録方法において、光記録媒体の信号記録面に近接位置され、光記録媒体にレーザー光による近接場光を集光させる光学手段からの戻り光の中心部の光量に応じて、制御目標値を補正し、補正した制御目標値に基づいて、光記録媒体の信号記録面と光学手段との間の距離を制御するフォーカス制御を行う信号記録方法であって、光学手段からの戻り光の中心部の光量のオフセットを調整し、フォーカス制御における制御目標電圧値を設定し、オフセットが調整された中心部の光量の電圧値と設定された制御目標電圧値とを乗算してこの乗算値を補正した制御目標値として取得する。
【００３７】
これにより、信号記録方法は、例えばレーザー光の強度が変更された場合でも、当該レーザーの強度に応じて補正された制御目標値に基づいて距離制御を行う。
【００３８】
また、本発明に係る信号再生装置は、上述の課題を解決するために、近接場光を利用して光記録媒体から信号を再生する信号再生装置において、レーザー光を出射する光源と、光記録媒体の信号記録面に近接位置され、光記録媒体にレーザー光による近接場光を集光させる光学手段と、光学手段からの戻り光の中心部の光量に応じて、制御目標値を補正する目標値補正手段と、目標値補正手段が補正した制御目標値に基づいて、光学手段と光記録媒体の信号記録面との間の距離制御を行うフォーカス制御手段とを備え、目標値補正手段は、光学手段からの戻り光の中心部の光量のオフセットを調整する信号校正部と、フォーカス制御手段の制御目標電圧値を設定する制御目標電圧値設定部と、信号校正部によってオフセットが調整された中心部の光量の電圧値と制御目標電圧値設定部によって設定された制御目標電圧値とを乗算してこの乗算値を補正した制御目標値として取得する。
【００３９】
このような構成を備える信号再生装置は、目標値補正手段により、光学手段からの戻り光の中心部の光量のオフセットを調整し、フォーカス制御における制御目標電圧値を設定し、オフセットが調整された中心部の光量の電圧値と設定された制御目標電圧値とを乗算してこの乗算値を補正した制御目標値として取得し、フォーカス制御手段により、目標値補正手段が補正した制御目標値に基づいて、光学手段と光記録媒体の信号記録面との間の距離制御を行う。
【００４０】
この信号再生装置は、レーザー光の強度が変更された場合でも、当該レーザーの強度に応じて補正された制御目標値に基づいて距離制御を行う。
【００４１】
また、本発明に係る信号再生方法は、上述の課題を解決するために、近接場光を利用して光記録媒体から信号を再生する信号再生方法において、光記録媒体の信号記録面に近接位置され、光記録媒体にレーザー光による近接場光を集光させる光学手段からの戻り光の中心部の光量に応じて、制御目標値を補正し、補正した制御目標値に基づいて、光記録媒体の信号記録面と光学手段との間の距離を制御するフォーカス制御を行う信号再生方法であって、光学手段からの戻り光の中心部の光量のオフセットを調整し、フォーカス制御における制御目標電圧値を設定し、オフセットが調整された中心部の光量の電圧値と設定された制御目標電圧値とを乗算してこの乗算値を補正した制御目標値として取得する。
【００４２】
これにより、信号再生方法は、レーザー光の強度が変更された場合でも、当該レーザーの強度に応じて補正された制御目標値に基づいて距離制御を行う。
【００４３】
【発明の実施の形態】
以下、本発明の実施の形態について図面を用いて詳しく説明する。但し勿論この記載は、各手段を記載したものに限定することを意味するものではない。
【００４４】
（１）第１の実施の形態
第１の実施の形態は、本発明を、図１に示すように、信号記録装置に適用したものである。この第１の実施の形態の信号記録装置は、具体的には、レジストが塗布されたガラス原盤の表面に情報に応じて変調されたレーザー光を照射して情報をカッティング記録するいゆわるカッティングマシーンである。
【００４５】
第１の実施の形態の信号記録装置は、図１に示すように、レーザー光を出射する光源とされるレーザー素子１と、被照射体（光記録媒体）とされるガラス原盤２００に近接位置され、ガラス原盤２００にレーザー光による近接場光を集光させる光学手段とされる光ヘッド１４と、ガラス原盤２００へ信号を記録するためにレーザー素子１から出射されたレーザー光の強度に応じて、光ヘッド１４からの戻り光の光量を補正する光量補正手段とされる自動ゲイン制御（Auto Gain Cntrol，ＡＧＣ）回路３０とを備えている。また、信号記録装置は、図１に示すように、戻り光の光量（全反射戻り光量Ｓ2）に応じて、光ヘッド１４とガラス原盤２００との間の距離を制御するフォーカス制御手段とされるフォーカス制御装置２０を備えており、フォーカス制御装置２０は、ＡＧＣ回路３０にて補正された戻り光の光量Ｓ3に応じて、光ヘッド１４とガラス原盤２００との間の距離を一定に制御している。
【００４６】
このような構成を備えた信号記録装置は、ＡＧＣ回路３０により、ガラス原盤２００へ信号を記録するためにレーザー素子１から出射されたレーザー光の強度に応じて光ヘッド１４からの戻り光の光量（全反射戻り光量Ｓ2）を補正し、この戻り光の光量に基づいて光ヘッド１４とガラス原盤２００との距離制御を行う。
【００４７】
以下、レーザー光或いは信号の流れに沿って詳細に説明する。
【００４８】
信号記録装置において、ガラス原盤２００への信号の記録の際には、レーザー素子１から出射され、電気−光変換素子（ＥＯＭ）２、偏光板であるアナライザー３及びビームスプリッタ（ＢＳ）４を介して音響光学素子（ＡＯＭ）５に入射した記録用レーザー光ＬＢ１が、このＡＯＭ５において変調される。具体的には、ＡＯＭ５には情報源６からの情報が記録信号発生器７でディジタル化されて入力されており、ＡＯＭ５は、上述したように入射されている記録用レーザー光ＬＢ１をこのディジタル化された記録情報に応じて変調する。
【００４９】
ＡＯＭ５により変調されたレーザー光ＬＢ２は、第１のミラー８により反射されて、集光レンズ９及びコリメータレンズ１０を介することにより平行ビームとなり、偏光ビームスプリッター（ＰＢＳ）１１を通過し、λ／４板１２に入射される。
【００５０】
λ／４板１２では入射光は円偏光とされ、この円偏光された変調光ＬＢ３は、第２のミラー１３により反射され、光ヘッド１４に入射される。光ヘッド１４は、レジストが塗布されたガラス原盤２００に円偏光とされたレーザー光をスポット状に照射する。光学ヘッド１４は、例えば、２群レンズから構成されるＳＩＬ（Solid Immersion Lens）である。信号記録装置は、光学ヘッド１４にＳＩＬを採用することで、近接場光を利用したいわゆる滲みだしにより、スポット径を一層微小化して、信号の記録を可能にしている。
【００５１】
ここで、ガラス原盤２００に対する光ヘッド１４のフォーカスは、フォーカス制御装置２０により制御され、ガラス原盤２００と光学ヘッド１４との間の距離が一定に保持されている。これにより、光ヘッド１４に入射されたレーザー光ＬＢ４は、大きさを一定に制御された光スポットをレジストが塗布されたガラス原盤２００上に形成することになる。この光スポットにより、記録情報に応じて、レジストが塗布されたガラス原盤２００がカッティングされる。
【００５２】
信号記録装置は、このようにガラス原盤２００のカッティングを行う一方で、次のようなフォーカス制御のための処理を行う。
【００５３】
記録に用いるレーザー素子１から出射され、ＥＯＭ２及びアナライザー３を通り、ビームスプリッタ４を透過された一部のレーザー光ＬＢ６が、第１のフォトディテクタ（ＰＤ１）１５にて検出される。
【００５４】
第１のフォトディテクタ（ＰＤ１）１５に入射されたレーザー光ＬＢ６は、ここで電気信号に変換され、自動パワー制御装置（以下、ＡＰＣという。）１６に入力され、その値がＥＯＭ２にフィードバックされて、レーザー素子１から出力されるレーザーパワーが一定に制御される。これにより、一定量とされたＡＰＣ後の光量（信号）Ｓ1がＡＧＣ回路３０に入射される。
【００５５】
一方、レーザー光ＬＢ４に対する光ヘッド１４から全反射戻り光は、λ／４板１２を通り直線偏光に変換された後、偏光ビームスプリッタ１１の反射面において反射され、さらに、第３のミラー１７にて反射されて集光レンズ１８に入力される。集光レンズ１８を通った全反射戻り光ＬＢ５は、第２のフォトディテクタ（ＰＤ２）１９上に集光され、ここで、全反射戻り光ＬＢ５の光量（以下、全反射戻り光量という。）として検出される。ここで検出された全反射戻り光量（信号）Ｓ2は、ＡＧＣ回路３０に入力される。
【００５６】
ＡＧＣ回路３０には、上述したように、ＡＰＣ後の光量Ｓ1も入力されており、ＡＧＣ回路３０は、これらＡＰＣ後の光量Ｓ1及び全反射戻り光量Ｓ2の信号を用いて、記録の際の上述のレーザー光ＬＢ１のパワー（以下、記録レーザーパワーという。）に依存しないＡＧＣ後の全反射戻り光量Ｓ3を出力する。このＡＧＣ回路３０の構成やその動作については後で詳述する。
【００５７】
全反射戻り光量Ｓ3はフォーカス制御装置２０に入力される。フォーカス制御装置２０は、内部の定電圧源により生成した基準信号を制御目標値とし、ＡＧＣ後の全反射戻り光量Ｓ3を被制御量として、それら情報に基づいてフォーカス制御電圧Ｓ4を出力する。そして、フォーカス制御電圧Ｓ4は光ヘッド１４に入力される。
【００５８】
光ヘッド１４はピエゾ素子に取り付けられており、フォーカス制御電圧Ｓ4に応じてピエゾ素子が伸縮制御されることにより、光ヘッド１４とガラス原盤２００との間の距離制御がなされる。このフォーカス制御により、光ヘッド１４とガラス原盤２００との間の距離は、ＡＧＣ回路３０により、記録レーザーパワーに依存せず、常に一定になされる。
【００５９】
次に実施の形態の信号記録装置における要部ともいえるＡＧＣ回路３０について詳しく説明する。ＡＧＣ回路３０は、図２に示すように、第１及び第２の信号校正部３１、基準電圧設定部３３、ＡＧＣゲイン演算部３４及び乗算部３５を備えている。このような構成により、ＡＧＣ回路３０は、記録レーザーパワーに依存しない一定とされた全反射戻り光量Ｓ3を出力することができる。まず、その原理について説明する。
【００６０】
先ず、全反射戻り光量と予め設定した制御目標値に基づいて行うフォーカス制御について概略を説明する。すなわち、本願出願人が先の出願（特願平11-253296号）にて開示している技術の概略の説明である。
【００６１】
図３中（Ａ）に示すように、全反射戻り光量とピエゾ素子の制御電圧（ＰＺＴ電圧）との関係は、ピエゾ素子の制御電圧が大きくなる程（光学ヘッド１４とガラス原盤２００との間の距離が短くなる程）、全反射戻り光量は少なくなる。これは、ピエゾ素子の制御電圧を増加させていくと、ピエゾ素子が伸張し、光ヘッド１４がガラス原盤２００に接近され、波長λの1/2以下の距離、代表的に200ｎｍ以下の距離になると、光ヘッド１４のＳＩＬ端面がガラス原盤２００のニアフィールド領域に位置されるようになり、光ヘッド１４のＳＩＬ端面とガラス原盤２００との間にエバネセント結合、すなわちＳＩＬ端面からのいわゆる滲みだしが生じるためである。
【００６２】
このような全反射戻り光量とピエゾ素子の制御電圧（ＰＺＴ電圧）との関係において、上述したエバネセント結合が生じる領域では、線形的な関係を有しており、この領域内に固定の制御目標値が設定される。そして、フォーカス制御では、その領域内に設定した制御目標値に引き込むようにしてＰＺＴ電圧（フォーカス制御電圧Ｓ4）を決定して、その値に基づいてピエゾ素子を伸縮制御している。これにより、光ヘッド１４とガラス原盤２００との間の距離が一定になされる。
【００６３】
ところで、このようなフォーカス制御では、記録レーザーパワーが変動した場合には次のような問題が生じる。
【００６４】
図３中（Ｂ）に示すように、記録レーザーパワーを第１から第３のパワーに小さくしていった場合、それに応じて、全反射戻り光量が全体的に小さくなり、しかし、全反射戻り光量とＰＺＴ電圧との関係については、第１乃至第３のパワーが互いに相似の関係が維持されたものとなっている。これは、記録レーザーパワーと全反射戻り光量との関係は比例関係になっているからである。例えば、このような記録レーザーパワーの変更（変化）は、光学ヘッド１４とガラス原盤２００との間の距離が変化してしまった時になされるものである。
【００６５】
このように第１から第３のパワーに変化してしまうような場合、全反射戻り光量もそれに応じて変化することから、固定された制御目標値に基づいて引き込みを行うフォーカス制御では、光学ヘッド１４とガラス原盤２００との間の距離を一定にすることができなくなるといった問題が生じる。これは、図４中（Ａ）及び（Ｂ）に示すように、第１及び第３のパワーについて、全反射戻り光量とピエゾ素子の制御電圧（ＰＺＴ電圧）との関係を規格化（標準化或いは正規化）すると明確になる。ここでは、例えば、図４中（Ｂ）に示す第２のパワーにおけるその関係を基準として規格化している。
【００６６】
この図４中（Ａ）乃至（Ｃ）に示すように、第１乃至第３のパワーとされた場合、それぞれ制御目標値に対する引き込み位置（ＰＺＴ電圧の値）が異なってしまう。これは、記録レーザーパワーの大きさに関わらず、制御目標値が固定されているからである。換言すれば、フォーカス制御装置２０内の制御目標値が固定である場合において、記録レーザーパワーを変更することは、制御目標値が変動することと等価だからである。
【００６７】
このような場合、第１のパワーにおいては、光学ヘッド１４（ＳＩＬ）とガラス原盤２００との間の距離が図４中（Ｄ）に示すようになり、第２のパワーにおいては、図４中（Ｅ）に示すように、第１のパワーの場合よりもその距離が長くなり、さらに、第３のパワーにおいては、図４中（Ｆ）に示すように、第２のパワーの場合よりもその距離が長くなる。このように、第１から第３のパワーに変化された場合には、実質的に制御目標値がずれたことと等価になり、記録レーザーパワーに依存して光ヘッド１４とガラス原盤２００との間の距離が変動してしまう。よって、ニアフィールド記録では、光ヘッド１４とガラス原盤２００との間の距離は焦点深度内であり、その距離が変動することは記録レーザーパワーが変動することと等価となることから、このままでは、記録レーザーパワーそのものの変動と、光ヘッド１４とガラス原盤２００との間の距離の変動による記録パワーの変動が複合し、安定した記録が不可能になる。
【００６８】
以上のように、記録レーザーパワーにより変動される全反射戻り光量を被制御対象として固定された制御目標値を使用してフォーカス制御をすると、実質的にずれた制御目標値について制御していることになり、本発明では、これを解消すべく、記録レーザーパワーの変化に依存しない全反射戻り光量を取得して、当該全反射戻り光量に基づいて固定の制御目標値を使用してフォーカス制御をするものである。
【００６９】
上述したように、記録レーザーパワーの出力と全反射戻り光量との関係が正比例関係を示すことは事実であり、本発明は、このような関係を利用してそのような制御を実現している。具体的には、記録レーザーパワーの変化分を全反射戻り光量に反映させる。すなわち、記録レーザーパワーを増加させた場合、全反射戻り光量ではその増加分を考慮して減少させ、また、記録レーザーパワーを減少させた場合、全反射戻り光量ではその減少分を考慮して増加させる。これにより、記録レーザーパワーの変化に対して依存しない全反射戻り光量が得られるようになる。
【００７０】
以上が原理であり、図２に示すＡＧＣ回路３０の構成は、記録レーザーパワーの変化に対して依存しない全反射戻り光量を得るための具体的な構成になる。
【００７１】
ＡＧＣ回路３０には、全反射戻り光量Ｓ2及びＡＰＣ後の光量Ｓ1が入力されている。ここで、全反射戻り光量Ｓ2とＡＰＣ後の光量Ｓ1との関係は、上述したように比例関係である。しかし、全反射戻り光量Ｓ2及びＡＰＣ後の光量Ｓ1には、それぞれオフセット電圧が重畳している場合があり、必ずしも正比例関係であるとは限らない。全反射戻り光量Ｓ2及びＡＰＣ後の光量Ｓ1との関係が正比例関係であることを利用することを前提としているので、このようなことから、正比例関係になるように全反射戻り光量Ｓ2及びＡＰＣ後の光量Ｓ1をそれぞれ校正する必要がある。第１及び第２の信号校正部３１，３２は、そのような校正を行う。
【００７２】
第１の信号校正部３１では、全反射戻り光量Ｓ2のゲイン及びオフセットを調整する。具体的には、第１の信号校正部３１は、図５に示すように、ステップＳ１において、全反射戻り光量Ｓ2のオフセットを調整して、続くステップＳ２において、第２のフォトディテクタ１９への入力をゼロにしたときに、全反射戻り光量Ｓ2がゼロになるか否かを判別する。第１の信号校正部３１は、ステップＳ２において第２のフォトディテクタ１９への入力をゼロにしたときに、全反射戻り光量Ｓ2がゼロになるまで、ステップＳ１における全反射戻り光量Ｓ2のオフセットの調整を行う。そして、第１の信号校正部３１は、ステップＳ２において、第２のフォトディテクタ１９への入力をゼロにしたときに、全反射戻り光量Ｓ2がゼロになったとき、ステップＳ３に進む。このようなオフセット調整により、第２のフォトディテクタ１９にて全反射戻り光量Ｓ2を検出する部分の回路で発生するオフセット電圧等が除去される。
【００７３】
第１の信号校正部３１は、全反射戻り光量Ｓ2のオフセット調整を完了した後、ステップ３において、全反射戻り光量Ｓ2をある電圧にゲイン調整する。例えば、第１の信号校正部３１は、１（Ｖpp）になるようにゲイン調整を行う。
【００７４】
一方、第２の信号校正部３２では、ＡＰＣ後の光量Ｓ1のゲイン及びオフセットを調整する。具体的には、第２の信号校正部３２は、図６に示すように、ステップＳ１１において、ＡＰＣ後の光量Ｓ1のオフセットを調整して、続くステップＳ１２において、第１のフォトディテクタ１５への入力をゼロにしたときに、ＡＰＣ後の光量Ｓ1がゼロになるか否かを判別する。第２の信号校正部３２は、ステップＳ１２において第１のフォトディテクタ１５への入力をゼロにしたときに、ＡＰＣ後の光量Ｓ1がゼロになるまで、ステップＳ１１におけるＡＰＣ後の光量Ｓ1のオフセットの調整を行う。そして、第２の信号校正部３２は、ステップＳ１２において、第１のフォトディテクタ１５への入力をゼロにしたときに、ＡＰＣ後の光量Ｓ1がゼロになったとき、ステップＳ１３に進む。このようなオフセット調整により、第１のフォトディテクタ１５にてレーザー光ＬＢ６を検出する部分の回路で発生するオフセット電圧等が除去される。
【００７５】
第２の信号校正部３２は、ＡＰＣ後の光量Ｓ1のオフセット調整を完了した後、ステップ１３において、第１の信号校正部３１が全反射戻り光量Ｓ2に対してなしたと同様な値になるようにゲイン調整を行う。すなわち例えば、第２の信号校正部３２は、１（Ｖpp）になるようにゲイン調整を行う。この第２の信号校正部３２からの出力はＡＧＣゲイン演算部３４に入力される。
【００７６】
なお、図７には、校正後のＡＰＣ電圧（ＡＰＣ後の光量Ｓ1）と校正後の全反射光量（全反射戻り光量Ｓ2）との関係についての実験結果を示している。この図７に示すように、校正後のＡＰＣ電圧及び校正後の全反射光量は共にオフセット分がなく、その関係が原点をとおる正比例の関係を有するものとなっている。
【００７７】
基準電圧設定部３３では、第１の信号校正部３１からの信号と第２の信号校正部３２からの信号とを同一の電圧の定電圧を設定する。例えば、基準電圧信号部３３は、１．０（Ｖ）に設定する。基準電圧設定部３３からの出力電圧は、ＡＧＣゲイン演算部３４に入力される。
【００７８】
ＡＧＣゲイン演算部３４は、上述したように第２の信号校正部３２の出力信号も入力されている。
【００７９】
ここで、ＡＧＣゲイン演算部３４に入力される第２の信号校正部３２からの信号（電圧値）をＡとし、基準電圧設定部３３からの信号（電圧値）をＲとすると、ＡＧＣゲイン演算部３４は、信号Ｒを信号Ａで除算して、ＡＧＣゲインＫ（＝Ｒ／Ａ）を得ている。このＡＧＣゲイン演算部３４で得られたＡＧＣゲインＫは、乗算部３５に入力される。
【００８０】
乗算部３５には、第１の信号校正部３１の出力信号が入力されており、乗算部３５は、この出力信号をＡＧＣゲインＫに乗算している。すなわち、乗算部３５は、第１の信号校正部３２の出力信号（電圧値）をＹとしたとき、Ｙ×Ｋ＝Ｙ×（Ｒ／Ａ）なる値を得ている。この値が、ＡＧＣ回路３０からＡＧＣ後の全反射戻り光量Ｓ3として出力される。
【００８１】
本実施の形態では、上述したように、Ｒ=1.0としているので、結局、全反射戻り光量Ｓ3の値は、Ｙ×ＫはＹ／Ａになる。すなわち、ＡＧＣ回路３０から出力された全反射戻り光量Ｓ3は、入力された全反射戻り光量Ｓ2が、ＡＰＣ後の光量Ｓ1により除算されたと等価とされる。よって、全反射戻り光量Ｓ2は、ＡＧＣ回路３０において、記録レーザーパワーの変化分が反映された値とされたＡＧＣ後の全反射戻り光量Ｓ3とされる。すなわち、記録レーザーパワーを増加させた場合、全反射戻り光量Ｓ2はその増加分を考慮して減少したものとされ、また、記録レーザーパワーを減少させた場合、全反射戻り光量Ｓ2はその減少分を考慮して増加したものとされる。これにより、全反射戻り光量は、ゲインが自動調整されて、記録レーザーパワーの依存性が回避されたものとなる。
【００８２】
ここで、図８及び図９を用い、具体的な値を用いてＡＧＣゲイン３０における処理を説明する。
【００８３】
図８には、上述の図３中（Ｂ）に示したと同様に、記録レーザーパワーが異なる第１乃至第４のパワーについて、全反射戻り光量とＰＺＴ電圧との関係を示している。例えば、第２のパワーを基準パワーとしている場合において第１のパワーが第２のパワーの１．５倍とされたとき、第１のパワーにおける校正後の全反射戻り光量（第１の信号校正部３１からの出力、以下同様。）の最大値（以下、これを代表値として用いる。）は１．５（Ｖ）を示す。よって、第２のパワーにおける校正後の全反射戻り光量は１．０（Ｖ）であるので、第２のパワーに対してパワーが１．５倍とされた場合、全反射戻り光量についても１．５倍の大きさとして得られるようになる。また、同様に、第３のパワーが第２のパワーの０．７倍とされたとき、第３のパワーにおける校正後の全反射戻り光量の最大値（以下、これを代表値として用いる。）は０．７（Ｖ）を示す。よって、第２のパワーに対してパワーが０．７倍とされた場合、全反射戻り光量についても０．７倍の大きさとして得られるようになる。また、同様に、第４のパワーが第２のパワーの０．６倍とされたとき、第４のパワーにおける校正後の全反射戻り光量の最大値（以下、これを代表値として用いる。）は０．２（Ｖ）を示す。よって、第２のパワーに対してパワーが０．２倍とされた場合、全反射戻り光量についても０．２倍の大きさとして得られるようになる。なお、第４のパワーでは、全反射戻り光量は制御目標量を下回るものとなっている。
【００８４】
そして、このような各パワーの校正後の全反射戻り光量について規格化すると、図９中（Ａ）乃至（Ｄ）に示すように、全反射戻り光量と制御目標値との関係がそれぞれ異なるものになる。このような関係になると、上述したように、光ヘッド１４とガラス原盤２００との間の距離を一定にするフォーカス制御は不可能となる。特に、もともと制御目標値を下回る全反射戻り光量となる第４のパワーでは、制御目標値に引き込むことすらできない。
【００８５】
このような全反射戻り光量であっても、ＡＧＣ部３０により以下のように一定値とされたＡＧＣ後の全反射戻り光量を得ることができる。
【００８６】
第１のパワー（Ａ＝１．５）の場合では、校正後の全反射戻り光量は１．５（Ｖ）であり、よって、ＡＧＣ回路３０における処理によりＹ×（Ｒ／Ａ）で与えられるＡＧＣ後の全反射戻り光量Ｓ3は、１．５×（１．０／１．５）＝１．０になる。これは、基準レーザーパワーとされる第２のパワーの同じ全反射戻り光量と同じ値となる。また、同様に、第３のパワー（Ａ＝０．７）の場合では、校正後の全反射戻り光量は０．７（Ｖ）であるが、ＡＧＣ後の全反射戻り光量Ｓ3は、０．７×（１．０／０．７）＝１．０になる。さらに、同様に、第４のパワー（Ａ＝０．２）の場合において、校正後の全反射戻り光量は０．２（Ｖ）であるが、ＡＧＣ後の全反射戻り光量Ｓ3は、０．２×（１．０／０．２）＝１．０になる。
【００８７】
以上の具体例からもわかるように、レーザーパワーが変更された場合でも、制御目標値と全反射戻り光量との間の相対的関係は基準パワーとされる第２のパワーの場合における関係と同様になり、ＡＧＣ部３０により、記録レーザーパワーに依存しない全反射戻り光量を得ることができる。
【００８８】
なお、全反射戻り光量Ｓ2の記録レーザーパワーに対する依存性を回避するのに、直接、全反射戻り光量Ｓ2を用いて、ＡＧＣによる全反射戻り光量Ｓ3を１／Ｙとせず、信号Ｙと正比例関係にある信号Ａを用いて、Ｙ／Ａとするのは、信号Ｙは、光ヘッド１４とガラス原盤２００との間の距離に依存して変動してしまい、正しく自動ゲイン調整を行うことはできないからである。そして、一方のＡＰＣ後の光量Ｓ1は、光ヘッド１４とガラス原盤２００との間の距離に依存せず、かつ常に全反射戻り光量Ｓ2と比例関係にあることから、Ｙ／Ａとして、光ヘッド１４とガラス原盤２００との間の距離及びＡＰＣ後の光量Ｓ1にも依存することなく、ＡＧＣ後の全反射戻り光量Ｓ3を一定にすることを可能にしている。
【００８９】
なお、図１０には、ＡＰＣパワー（Ｓ1）とＡＧＣ後の全反射戻り光量（Ｓ3）との関係の実施例を示している。図１０中（Ａ）に示すようにＡＰＣパワーを増減させていった場合でも、図１０中（Ｂ）に示すようにＡＧＣ後の全反射戻り光量を一定として得ることができる。
【００９０】
なお、この第１の実施の形態では、本発明を、いわゆるカッティングマシーンに適用した場合について説明したがこれに限定されるものではない。すなわち、本発明は、信号記録装置（ユーザ側で使用される信号記録装置）や信号再生装置、或いは記録及び再生装置に適用することもできる。
【００９１】
この場合、信号再生装置については、近接場光を利用して光記録媒体から信号を再生する信号再生装置とされ、基本的には、図１に示した信号記録装置と同様な光学系を有して構成される。すなわち、信号再生装置は、レーザー光を出射するレーザー素子１と、光記録媒体（例えば、光ディスク）の信号記録面に近接位置され、光ディスクにレーザー光による近接場光を集光させる光ヘッド１４と、光ディスクから信号を再生するためにレーザー素子１から出射されたレーザー光の強度に応じて、光ヘッド１４からの戻り光の光量を補正するＡＧＣ回路３０と、ＡＧＣ回路３０にて補正された戻り光の光量に応じて、光ヘッドと光ディスクの信号記録面との間の距離を一定に制御するフォーカス制御装置２０とを備える。
【００９２】
このような構成を備えた信号再生装置は、ＡＧＣ回路３０により、光ディスクの信号を再生するためにレーザー素子１から出射されたレーザー光の強度に応じて光ヘッド１４からの戻り光の光量（全反射戻り光量Ｓ2）を補正し、この戻り光の光量に基づいて光ヘッド１４と光ディスクとの距離制御を行う。
【００９３】
（２）第２の実施の形態
第２の実施の形態は、本発明を、図１１に示すように、第１の実施の形態と同様に信号記録装置に適用したものであって、具体的には、レジストが塗布されたガラス原盤の表面に情報に応じて変調されたレーザー光を照射して情報をカッティング記録するいわゆるカッティングマシーンに適用したものである。
である。
【００９４】
第２の実施の形態の信号記録は、レーザー光を出射するレーザー素子１と、ガラス原盤２００に近接位置され、ガラス原盤２００にレーザー光による近接場光を集光させる光ヘッド１４、光ヘッド１４からの戻り光の中心部の光量に応じて、当該戻り光の光量を補正するＡＧＣ回路（以下、第２のＡＧＣ回路という。）５０と、第２のＡＧＣ回路５０にて補正された戻り光の光量に応じて、光ヘッド１４とガラス原盤２００との間の距離を一定に制御するフォーカス制御装置２０とを備える。
【００９５】
このような構成を備えた信号記録装置は、第２のＡＧＣ回路５０により、光ヘッド１４からの戻り光の中心部の光量に応じて当該戻り光の光量を補正し、この戻り光の光量に基づいて光ヘッド１４とガラス原盤２００との距離制御を行う。
【００９６】
以下、レーザー光或いは信号の流れに沿って各部を説明する。なお、第２の実施の形態の信号記録装置において、上述の図１に示した第１の実施の形態の信号記録装置と同一の構成部分については、同一の番号を付して、特に言及しない限り、上述の第１の実施の形態の信号記録装置と同様な処理となる。
【００９７】
この第２の実施の形態の信号記録装置は、第３のミラー１７が反射したレーザー光（光ヘッド１４からの戻り光）の光路上に第２のビームスプリッタ（ＢＳ）４１が配置されている。この第２のビームスプリッター４１により戻り光は、２つの光路に分岐される。一方の分岐光路には、その光路中心をマスクするマスク（以下、中心部マスクという。）４２が配置されており、他方の分岐光路には、光路中心以外をマスクするマスク（以下、外周部マスクという。）４３が配置されている。
【００９８】
第２のビームスプリッタ４１において分岐されて中心部マスク４２により中心部分がマスクされた（透過されなかった）全反射戻り光ＬＢ７は、第２の集光レンズ１８により集光されて第２のフォトディテクタ１９にて全反射戻り光の光量Ｓ2として検出される。
【００９９】
ここで、全反射戻り光となるのは、光ヘッド１４に入射するレーザー光の内、高ＮＡで入射した光であり、高ＮＡ成分の反射光である。よって、光路中心に中心部マスク４２を配置されたことにより、第２のフォトディテクタ１９にて検出された全反射戻り光は、戻り光の内、全反射成分だけ抽出されたものとなる。
【０１００】
一方、第２のビームスプリッタ４１において分岐されて外周部マスク４３により外周部分がマスクされた（透過されなかった）全反射戻り光ＬＢ８は、第３の集光レンズ４４により第３のフォトディテクタ４６にて集光される。これにより、第３のフォトディテクタ４６にて、中心部分の戻り光の光量（以下、中心光戻り光量という。）Ｓ5が検出される。
【０１０１】
中心光戻り光量Ｓ5は、低ＮＡで光ヘッド１４に入射するレーザー光ＬＢ４に入射した光の戻り光であり、光ヘッド１４とガラス原盤２００との間がニアフィールド領域となっても、エバネセント結合は生じない部分のものである。すなわち、中心光戻り光量Ｓ5は、上述したＡＰＣ後の光量Ｓ1と同様に、光ヘッド１４とガラス原盤２００との間の距離に依存しない。そして、中心光戻り光量Ｓ5は、ＡＰＣ後の光量Ｓ1と同様に、全反射戻り光量Ｓ2と比例関係にある。このようなことから、第２の実施の形態の信号記録装置は、上述したようなＡＰＣ後の光量Ｓ1を用いる変わりに、この中心光戻り光量Ｓ5を用いて、図１に示した実施の形態の信号記録装置にて行ったと同様に、全反射戻り光量Ｓ2のＡＧＣを行っている。第２の実施の形態の信号記録装置は、その処理を行う部分として第２のＡＧＣ回路５０を備えている。
【０１０２】
第２のＡＧＣ回路５０は、上述した第１の実施の形態の信号記録装置のＡＧＣ回路（以下、第１のＡＧＣ回路という。）３０と略同様な処理を行うようになされており、すなわち例えば全反射戻り光量Ｓ2を中心光戻り光量Ｓ5により除算する。なお、第２のＡＧＣ回路５０は、第１のＡＧＣ回路３０と同様に、信号校正部や基準信号設定部等を必要に応じて備えている。
【０１０３】
第２の実施の形態の信号記録装置は、上述したような第２のＡＧＣ回路５０を備えることにより、第１の実施の形態の信号記録装置と同様に、フォーカス制御の被制御量として使用する全反射戻り光量Ｓ3が記録レーザーパワーに依存することを回避することができる。
【０１０４】
なお、この第２の実施の形態では、本発明を、いわゆるカッティングマシーンに適用した場合について説明したがこれに限定されるものではない。すなわち、本発明は、信号記録装置（ユーザ側で使用される信号記録装置）や信号再生装置、或いは記録及び再生装置に適用することもできる。
【０１０５】
この場合、例えば信号再生装置については、近接場光を利用して光記録媒体から信号を再生する信号再生装置とされ、基本的には、図１１に示した信号記録装置と同様な光学系を有して構成される。すなわち、信号再生装置は、レーザー光を出射するレーザー素子１と、光記録媒体（例えば、光ディスク）の信号記録面に近接位置され、光ディスクにレーザー光による近接場光を集光させる光ヘッド１４と、光ヘッド１４からの戻り光の中心部の光量に応じて、当該戻り光の光量を補正する第２のＡＧＣ回路５０と、第２のＡＧＣ回路５０にて補正された戻り光の光量に応じて、光ヘッドと光ディスクの信号記録面との間の距離を一定に制御するフォーカス制御装置２０とを備える。
【０１０６】
このような構成を備えた信号再生装置は、第２のＡＧＣ回路５０により、光ヘッド１４からの戻り光の中心部の光量に応じて当該戻り光の光量を補正し、この戻り光の光量に基づいて光ヘッド１４と光ディスクとの距離制御を行う。
【０１０７】
（３）第３の実施の形態
第３の実施の形態は、本発明を、図１２に示すように、第１の実施の形態と同様に信号記録装置に適用したものであって、具体的には、レジストが塗布されたガラス原盤の表面に情報に応じて変調されたレーザー光を照射して情報をカッティング記録するいわゆるカッティングマシーンに適用したものである。
【０１０８】
上述の第１及び第２の実施の形態の信号記録装置では、制御目標値は固定で、記録レーザーパワーの変更に対して、全反射戻り光量Ｓ2のゲインを自動調整することで記録レーザーパワーヘの依存性を回避していた。この第３の実施の形態の信号記録装置は、制御目標値を固定するのではなく、記録レーザーパワーの変更に対して適応（変更）させることで、全反射戻り光量Ｓ2の記録レーザーパワーヘの依存性を回避するしている。
【０１０９】
第３の実施の形態の信号記録装置は、レーザー光を出射するレーザー素子１と、ガラス原盤２００に近接位置され、ガラス原盤２００にレーザー光による近接場光を集光させる光ヘッド１４と、ガラス原盤２００へ信号を記録するためにレーザー素子１から出射されたレーザー光の強度に応じて、制御目標値を補正する目標値補正手段とされるＡＧＣ回路（以下、第３のＡＧＣ回路という。）６０と、第３のＡＧＣ回路６０が補正した制御目標値に基づいて、光ヘッド１４とガラス原盤２００との間の距離制御を行うフォーカス制御装置２０とを備える。
【０１１０】
このような構成を備える信号記録装置は、ガラス原盤２００へ信号を記録するためにレーザー素子１から出射されたレーザー光の強度に応じて、制御目標値を第３のＡＧＣ回路６０により補正し、第３のＡＧＣ回路６０が補正した制御目標値に基づいて、光ヘッド１４とガラス原盤２００との間の距離制御をフォーカス制御装置２０により行う。
【０１１１】
以下、レーザー光或いは信号の流れに沿って各部を説明する。なお、第３の実施の形態の信号記録装置において、上述の図１に示した第１の実施の形態の信号記録装置と同一の構成部分については、同一の番号を付して、特に言及しない限り、上述の第１の実施の形態の信号記録装置と同様な処理となる。
【０１１２】
この第３の実施の形態の信号記録装置は、ＡＰＣ後の光量Ｓ1が入力される第３のＡＧＣ回路６０において制御目標値を記録レーザーパワーの変更に対して適応（変更）させる処理を行っている。この第３のＡＧＣ回路６０は、例えば図１３に示すように、信号校正部６１、制御目標値設定部６２及び乗算部６３を備えている。
【０１１３】
信号校正部６１は、上述の図２に示す第１の信号校正部３１と略同様な処理として、入力されたＡＰＣ後の光量Ｓ1のオフセット調整及びゲイン調整を行う。この信号校正部６１において信号校正されたＡＰＣ後の光量は乗算部６３に出力される。
【０１１４】
一方、制御目標値設定部６２では、フォーカス制御装置２０の制御目標電圧を設定する。そして、制御目標値設定部６２において設定された制御目標電圧は、乗算部６３に出力される。
【０１１５】
乗算部６３では、制御目標値設定部６２からの信号と信号校正部６１からの信号とを乗算する。すなわち、制御目標値設定部６２からの出力信号をＲ2とし、信号校正部６１からの出力信号をＹとしたとき、乗算部６３は、Ｙ×Ｒ2なる値を得ている。この値が、第３のＡＧＣ回路６０からＡＧＣ後の制御目標値Ｓ6（Ｒ2’）として出力される。つまり、Ｒ2’＝Ｙ×Ｒ2
これにより、例えば、現状状態より記録レーザーパワーを変更して、ＡＰＣ後の光量（校正値）がｎ倍のＹ’（すなわち、Ｙ’＝ｎ×Ｙ）になったとき、ＡＧＣ後の制御目標値は、
Ｒ2”＝Ｙ’×Ｒ2＝ｎ×Ｙ×Ｒ2
になる。これにより、記録レーザーパワーの変更前後で、制御目標とＡＰＣ後の光量との比は不変になる。つまり、
Ｒ2”／Ｙ’＝（ｎ×Ｙ×Ｒ2）／ｎ×Ｙ＝Ｒ2＝Ｒ2’／Ｙ
になる。この式が示すように、第３のＡＧＣ回路６０は、記録レーザーパワーを変更しても、それに対応して変化される制御目標値が得られる。
【０１１６】
フォーカス制御装置２０には、記録レーザーパワーの変更に依存する全反射戻り光量Ｓ2が入力されているが、ＡＧＣ後の制御目標値Ｓ6がそのような記録レーザーパワーの変更に応じて変化しているので、全反射戻り光量Ｓ2に対して制御目標値Ｓ6を不変（相対的に不変）とすることができるので、これにより、フォーカス制御装置２０は、記録レーザーパワーヘ依存性を回避したフォーカス制御電圧Ｓ4を出力することができる。これによって、第３の実施の形態の信号記録装置は、上述の図１に示す第１の実施の形態の信号記録装置の場合と同様に、記録レーザーパワーに依存せず、光ヘッド１４とガラス原盤２００との間の距離を一定にすることが可能となり、安定した連続記録が可能となる。
【０１１７】
なお、この第３の実施の形態では、本発明を、いわゆるカッティングマシーンに適用した場合について説明したがこれに限定されるものではない。すなわち、本発明は、信号記録装置（ユーザ側で使用される信号記録装置）や信号再生装置、或いは記録及び再生装置に適用することもできる。
【０１１８】
この場合、例えば信号再生装置については、近接場光を利用して光記録媒体から信号を再生する信号再生装置とされ、基本的には、図１２に示した信号記録装置と同様な光学系を有して構成される。すなわち、信号再生装置は、レーザー光を出射するレーザー素子１と、光ディスクの信号記録面に近接位置され、光ディスクにレーザー光による近接場光を集光させる光ヘッド１４と、光ディスクから信号を再生するためにレーザー素子１から出射されたレーザー光の強度に応じて、制御目標値を補正する第３のＡＧＣ回路６０と、第３のＡＧＣ回路６０が補正した制御目標値に基づいて、光ヘッド１４と光ディスクの信号記録面との間の距離制御を行うフォーカス制御装置２０とを備える。
【０１１９】
このような構成を備える信号再生装置は、光ディスクから信号を再生するためにレーザー素子１から出射されたレーザー光の強度に応じて、制御目標値を第３のＡＧＣ回路６０により補正し、第３のＡＧＣ回路６０が補正した制御目標値に基づいて、光ヘッド１４とガラス原盤２００との間の距離制御をフォーカス制御装置２０により行う。
【０１２０】
（４）第４の実施の形態
第４の実施の形態は、本発明を、図１４に示すように、第１の実施の形態と同様に信号記録装置に適用したものであって、具体的には、レジストが塗布されたガラス原盤の表面に情報に応じて変調されたレーザー光を照射して情報をカッティング記録するいわゆるカッティングマシーンに適用したものである。
【０１２１】
この第４の実施の形態の信号記録装置は、レーザー光を出射するレーザー素子１と、ガラス原盤２００に近接位置され、ガラス原盤２００にレーザー光による近接場光を集光させる光ヘッド１４と、光ヘッド１４からの戻り光の中心部の光量に応じて、制御目標値を補正する目標値補正手段とされるＡＧＣ回路（以下、第４のＡＧＣ回路という。）７０と、第４のＡＧＣ回路７０が補正した制御目標値に基づいて、光ヘッド１４とガラス原盤２００との間の距離制御を行うフォーカス制御装置２０とを備える。
【０１２２】
このような構成を備える信号記録装置は、光ヘッド１４からの戻り光の中心部の光量に応じて、制御目標値を第４のＡＧＣ回路７０により補正し、第４のＡＧＣ回路７０が補正した制御目標値に基づいて、光ヘッド１４とガラス原盤２００との距離制御をフォーカス制御装置２０により行う。
【０１２３】
上述の第２の実施の形態の信号記録装置は、ＡＰＣ後の戻り光量を用いる代わりに中心光戻り光量を用いて被制御量のＡＧＣ後の全反射戻り光量Ｓ5を求め、また、上述の第３の実施の形態の信号記録装置は、ゲイン制御する対象を制御目標値としている。この第４の実施の形態の信号記録装置は、いわば、第２の実施の形態の信号記録装置と第３の実施の形態の信号記録装置の複合されて構成された信号記録装置といえる。
【０１２４】
すなわち、第４の実施の形態の信号記録装置は、第２のビームスプリッタ４１において分岐されて中心部マスク４２により中心部分がマスクされた全反射戻り光ＬＢ７は、第２の集光レンズ１８により集光されて第２のフォトディテクタ１９にて全反射戻り光の光量Ｓ2として検出される。そして、この第２のフォトディテクタ１９にて検出された全反射戻り光の光量Ｓ2はフォーカス制御装置２０に入力される。
【０１２５】
一方、第２のビームスプリッタ４１において分岐されて外周部マスク４３により外周部分がマスクされた（透過されなかった）全反射戻り光ＬＢ８は、第３の集光レンズ４４により第３のフォトディテクタ４６上に集光され、ここで、中心光戻り光量Ｓ5として検出される。そして、この第３のフォトディテクタ４６にて検出された中心光戻り光量Ｓ5は第４のＡＧＣ回路７０に入力される。
【０１２６】
第４のＡＧＣ回路７０は、上述した第３の実施の形態の信号記録装置の第３のＡＧＣ回路６０と略同様な処理を行うようになされており、すなわち例えば制御目標値設定部からの出力信号と中心光戻り光量Ｓ5とを乗算して、ＡＧＣ後の制御目標値Ｓ7を求める。なお、第４のＡＧＣ回路７０は、第３のＡＧＣ回路６０と同様に、信号校正部等を必要に応じて備えている。
【０１２７】
第４の実施の形態の信号記録装置は、このような第４のＡＧＣ回路７０を備えることにより、上述の第３の実施の形態の信号記録装置と同様に、記録レーザーパワーを変更しても、不変（全反射戻り光量に対して相対的に不変）とされる制御目標値を得ることができる。
【０１２８】
なお、この第４の実施の形態では、本発明を、いわゆるカッティングマシーンに適用した場合について説明したがこれに限定されるものではない。すなわち、本発明は、信号記録装置（ユーザ側で使用される信号記録装置）や信号再生装置、或いは記録及び再生装置に適用することもできる。
【０１２９】
この場合、例えば信号再生装置については、近接場光を利用して光記録媒体から信号を再生する信号再生装置とされ、基本的には、図１４に示した信号記録装置と同様な光学系を有して構成される。すなわち、信号再生装置は、レーザー光を出射するレーザー素子１と、光ディスクの信号記録面に近接位置され、光ディスクにレーザー光による近接場光を集光させる光ヘッド１４と、光ヘッド１４からの戻り光の中心部の光量に応じて、制御目標値を補正する第４のＡＧＣ回路７０と、第４のＡＧＣ回路７０が補正した制御目標値に基づいて、光ヘッド１４と光ディスクの信号記録面との間の距離制御を行うフォーカス制御装置２０とを備える。
【０１３０】
このような構成を備える信号記録装置は、再生の際に、光ヘッド１４からの戻り光の中心部の光量に応じて、制御目標値を第４のＡＧＣ回路７０により補正し、第４のＡＧＣ回路７０が補正した制御目標値に基づいて、光ヘッド１４と光ディスクとの距離制御をフォーカス制御装置２０により行う。
【０１３１】
以上、第１乃至第４の実施の形態を説明した。この第１乃至第４の実施の形態の信号記録装置は、全反射戻り光量或いは制御目標値を記録レーザーパワーに依存しないようにするＡＧＣ回路をそれぞれ備えることにより、光ヘッド１４とガラス原盤２００との間の距離の記録レーザーパワーに依存性を回避し、同一ガラス原盤上にて連続して記録レーザーパワーを変化させて記録することができる。すなわち、このシステムでは、光記録媒体に照射すべき光の強度を変更する度に、フォーカス制御動作を停止する必要がなくなるので、光記録媒体に対する信号の記録（又は再生）を連続して行うことが可能になる。
【０１３２】
また、このようなシステムにより、光ヘッド１４と光記録媒体との間の距離を常に自動的に一定に保持し、安定に情報の記録（又は再生）を可能とし、製造も容易で優れた装置の提供が可能になる。
【０１３３】
なお、上述の実施の形態では、光ヘッド１４がＳＩＬを備えて構成されている場合について説明したが、これに限定されるものではなく、すなわち例えば、単レンズ構成にてＳＩＬと同様な特性を有するＳＩＭ（Solid Immersion Mirror）によって光ヘッド１４を構成することもできる。
【０１３４】
また、上述の実施の形態では、レーザーパワーが変更されることが前提となっている。具体的にはその変更の必要性は以下のようになる。まず、記録時における必要性を説明する。
【０１３５】
再生信号の品質（ジッター等）を最良とし、エラーがなく安定した再生を可能とするためには、最適な記録レーザーパワーで記録する必要があるからである。すなわち、この最適な記録レーザーパワーで記録することで、符合間干渉及びクロストークが最小となるピットが形成することができる。
【０１３６】
一方で、この最適記録レーザーパワーは記録膜の材質や、露光条件等に依存する。このため、最適記録レーザーパワーを知るためには、複数の記録レーザーパワーにて記録し、それぞれの記録レーザーパワーに応じて再生信号を評価する必要ある。このようなことから、記録時においては記録レーザーパワーを変更する必要がある。
【０１３７】
一方、再生時における必要性は次のようになる。記録時と再生時のレーザーパワーは一般的には異なる。例えば、記録時と再生時とでレーザーパワーが同じだと、再生時において記録されているデータが消えてしまう場合がある。このようなことから、記録及び再生装置では、記録から再生に切り替えたときに、レーザーパワーを異ならせる必要がある。
【０１３８】
例えば、このような場合において、上述したようなＡＧＣをしないと、光ヘッド１４と光記録媒体との間の距離が異なってしまう。ＧＡＰ長（距離）がずれると、場合によってはニアフィールド効果が薄れ、エバネセント結合が解消される恐れもある。さらに、再生レーザーパワーは記録レーザーパワーに比べて小さいので、再生に切り替えたときに、例えば上述の図９中（Ｄ）に示すように、戻り光量が制御目標値に達しない場合もあり、これでは、フォーカスが破綻してしまう。このようなことから、再生時にはレーザーパワーを変更する必要性がある。
【０１３９】
なお、再生時には、レーザーパワーが一定で変更しない場合もあるが、本発明はこのような場合にも有効に作用する。記録反射膜の状態（例えば、アルミニウム厚むらによる反射率変動）により、全反射戻り光量が変動し、実質的にレーザーパワーが変更したことと同様な現象が生じる場合もある。このようにレーザーパワーを変更する必要がないような場合でも、実質的にレーザーパワーが変更されたと同様な現象が発生する場合には、本発明による全反射戻り光量の補正は有効に作用する。
【０１４０】
また、上述の実施の形態では、ＡＧＣ（補正手段）による補正対象が、フォーカス制御への使用目的とされた全反射戻り光量である場合について説明した。しかし、補正された（一定とされた）全反射戻り光量の使用用途についてはこれに限定されるものではない。上述したように、再生時においては、レーザーパワーが一定で変更しない場合でも、記録反射膜の状態により、全反射戻り光量が変動する場合がある。この場合、再生信号がＡＣ変動やＤＣ変動することになり、トラッキングがかかり難くなる。さらに、信号再生のクロック再生もエラーが多くなる。このように、全反射戻り光量を一定にする（補正する）ことが、再生信号の変動を抑えるといった他の用途に繋がる。
【０１４１】
【発明の効果】
本発明に係る信号記録装置は、光記録媒体の信号記録面に近接位置され、光記録媒体にレーザー光による近接場光を集光させる光学手段と、光記録媒体へ信号を記録するために光源から出射されたレーザー光の強度に応じて、光学手段からの戻り光の光量を補正する光量補正手段とを備えることにより、光量補正手段により、光記録媒体へ信号を記録するために光源から出射されたレーザー光の強度に応じて光学手段からの戻り光の光量を補正することができる。これにより、信号記録装置は、光源から出射されたレーザー光の強度に依らず、一定の戻り光量を得ることができる。
【０１４２】
また、本発明に係る信号記録方法は、光記録媒体へ信号を記録するために光源から出射されたレーザー光の強度に応じて、光記録媒体の信号記録面に近接位置され、光源から出射された光記録媒体にレーザー光による近接場光を集光させる光学手段からの戻り光を補正することにより、光源から出射されたレーザー光の強度に依らず、一定の戻り光量を得ることができる。
【０１４３】
また、本発明に係る信号再生装置は、光記録媒体の信号記録面に近接位置され、光記録媒体にレーザー光による近接場光を集光させる光学手段と、光記録媒体から信号を再生するために光源から出射されたレーザー光の強度に応じて、光学手段からの戻り光の光量を補正する光量補正手段とを備えることにより、光量補正手段により、光記録媒体から信号を再生するために光源から出射されたレーザー光の強度に応じて光学手段からの戻り光の光量を補正することができる。これにより、信号再生装置は、光源から出射されたレーザー光の強度に依らず、一定の戻り光量を得ることができる。
【０１４４】
また、本発明に係る信号再生方法は、光記録媒体から信号を再生するために光源から出射されたレーザー光の強度に応じて、光記録媒体の信号記録面に近接位置され、レーザー光による近接場光を集光させる光記録媒体に光学手段からの戻り光を補正することにより、光源から出射されたレーザー光の強度に依らず、一定の戻り光量を得ることができる。
【０１４５】
また、本発明に係る信号記録装置は、近接場光を利用して光記録媒体に信号を記録する信号記録装置であり、光記録媒体の信号記録面に近接位置され、光記録媒体にレーザー光による近接場光を集光させる光学手段と、光学手段からの戻り光の中心部の光量に応じて、当該戻り光の光量を補正する光量補正手段とを備えることにより、光量補正手段により、光学手段からの戻り光の中心部の光量に応じて当該戻り光の光量を補正することができる。これにより、信号記録装置は、例えば光源から出射されたレーザー光の強度に依らず、一定の戻り光量を得ることができる。
【０１４６】
また、本発明に係る信号記録方法は、光記録媒体の信号記録面に近接位置され、光記録媒体にレーザー光による近接場光を集光させる光学手段からの戻り光を、当該戻り光の中心部の光量に応じて補正することにより、例えば光源から出射されたレーザー光の強度に依らず、一定の戻り光量を得ることができる。
【０１４７】
また、本発明に係る信号再生装置は、光記録媒体の信号記録面に近接位置され、光記録媒体にレーザー光による近接場光を集光させる光学手段と、光学手段からの戻り光の中心部の光量に応じて、当該戻り光の光量を補正する光量補正手段とを備えることにより、光量補正手段により、光学手段からの戻り光の中心部の光量に応じて、当該戻り光の光量を補正することができる。これにより、信号再生装置は、例えば光源から出射されたレーザー光の強度に依らず、一定の戻り光量を得ることができる。
【０１４８】
また、本発明に係る信号再生方法は、光記録媒体の信号記録面に近接位置され、光記録媒体にレーザー光による近接場光を集光させる光学手段からの戻り光を、当該戻り光の中心部の光量に応じて補正することにより、例えば光源から出射されたレーザー光の強度に依らず、一定の戻り光量を得ることができる。
【０１４９】
また、本発明に係る信号記録装置は、光記録媒体の信号記録面に近接位置され、光記録媒体にレーザー光による近接場光を集光させる光学手段と、光記録媒体へ信号を記録するために光源から出射されたレーザー光の強度に応じて、制御目標値を補正する目標値補正手段と、目標値補正手段が補正した制御目標値に基づいて、光学手段と光記録媒体の信号記録面との間の距離制御を行うフォーカス制御手段とを備えることにより、光記録媒体へ信号を記録するために光源から出射されたレーザー光の強度に応じて、制御目標値を目標値補正手段により補正し、目標値補正手段が補正した制御目標値に基づいて、光学手段と光記録媒体の信号記録面との間の距離制御をフォーカス制御手段により行うことができる。
【０１５０】
これにより、信号記録装置は、レーザー光の強度が変更された場合でも、当該レーザーの強度に応じて補正された制御目標値に基づいて距離制御を行うことができる。
【０１５１】
また、本発明に係る信号記録方法は、上述の課題を解決するために、光記録媒体へ信号を記録するために光源から出射されたレーザー光の強度に応じて、制御目標値を補正し、補正した制御目標値に基づいて、光記録媒体の信号記録面と、当該信号記録面に近接位置され、光記録媒体にレーザー光による近接場光を集光させる光学手段との間の距離制御を行うことにより、レーザー光の強度が変更された場合でも、当該レーザーの強度に応じて補正された制御目標値に基づいて距離制御を行うことができる。
【０１５２】
また、本発明に係る信号再生装置は、光記録媒体の信号記録面に近接位置され、光記録媒体にレーザー光による近接場光を集光させる光学手段と、光記録媒体から信号を再生するために光源から出射されたレーザー光の強度に応じて、制御目標値を補正する目標値補正手段と、目標値補正手段が補正した制御目標値に基づいて、光学手段と光記録媒体の信号記録面との間の距離制御を行うフォーカス制御手段とを備えることにより、光記録媒体から信号を再生するために光源から出射されたレーザー光の強度に応じて、制御目標値を目標値補正手段により補正し、目標値補正手段が補正した制御目標値に基づいて、光学手段と光記録媒体の信号記録面との間の距離制御をフォーカス制御手段により行うことができる。
【０１５３】
これにより、信号再生装置は、レーザー光の強度が変更された場合でも、当該レーザーの強度に応じて補正された制御目標値に基づいて距離制御を行うことができる。
【０１５４】
また、本発明に係る信号再生方法は、光記録媒体から信号を再生するために光源から出射されたレーザー光の強度に応じて、制御目標値を補正し、補正した制御目標値に基づいて、光記録媒体の信号記録面と、当該信号記録面に近接位置され、光記録媒体にレーザー光による近接場光を集光させる光学手段との間の距離制御を行うことにより、レーザー光の強度が変更された場合でも、当該レーザーの強度に応じて補正された制御目標値に基づいて距離制御を行うことができる。
【０１５５】
また、本発明に係る信号記録装置は、光記録媒体の信号記録面に近接位置され、光記録媒体にレーザー光による近接場光を集光させる光学手段と、光学手段からの戻り光の中心部の光量に応じて、制御目標値を補正する目標値補正手段と、目標値補正手段が補正した制御目標値に基づいて、光学手段と光記録媒体の信号記録面との間の距離制御を行うフォーカス制御手段とを備えることにより、光学手段からの戻り光の中心部の光量に応じて、制御目標値を目標値補正手段により補正し、目標値補正手段が補正した制御目標値に基づいて、光学手段と光記録媒体の信号記録面との間の距離制御をフォーカス制御手段により行うことができる。
【０１５６】
これにより、信号記録装置は、例えばレーザー光の強度が変更された場合でも、当該レーザーの強度に応じて補正された制御目標値に基づいて距離制御を行うことができる。
【０１５７】
また、本発明に係る信号記録方法は、光記録媒体の信号記録面に近接位置され、光記録媒体にレーザー光による近接場光を集光させる光学手段からの戻り光の中心部の光量に応じて、制御目標値を補正し、補正した制御目標値に基づいて、光記録媒体の信号記録面と光学手段との間の距離制御を行うことにより、例えばレーザー光の強度が変更された場合でも、当該レーザーの強度に応じて補正された制御目標値に基づいて距離制御を行うことができる。
【０１５８】
また、本発明に係る信号再生装置は、光記録媒体の信号記録面に近接位置され、光記録媒体にレーザー光による近接場光を集光させる光学手段と、光学手段からの戻り光の中心部の光量に応じて、制御目標値を補正する目標値補正手段と、目標値補正手段が補正した制御目標値に基づいて、光学手段と光記録媒体の信号記録面との間の距離制御を行うフォーカス制御手段とを備えることにより、光学手段からの戻り光の中心部の光量に応じて、制御目標値を目標値補正手段により補正し、目標値補正手段が補正した制御目標値に基づいて、光学手段と光記録媒体の信号記録面との間の距離制御をフォーカス制御手段を行うことができる。
【０１５９】
これにより、信号再生装置は、例えばレーザー光の強度が変更された場合でも、当該レーザーの強度に応じて補正された制御目標値に基づいて距離制御を行うことができる。
【０１６０】
また、本発明に係る信号再生方法は、光記録媒体の信号記録面に近接位置され、光記録媒体にレーザー光による近接場光を集光させる光学手段からの戻り光の中心部の光量に応じて、制御目標値を補正し、補正した制御目標値に基づいて、光記録媒体の信号記録面と光学手段との間の距離制御を行うことにより、例えばレーザー光の強度が変更された場合でも、当該レーザーの強度に応じて補正された制御目標値に基づいて距離制御を行うことができる。
【図面の簡単な説明】
【図１】本発明の第１の実施の形態の信号記録装置の構成を示すブロック図である。
【図２】上述の第１の実施の形態の信号記録装置の第１のＡＧＣ回路の構成を示すブロック図である。
【図３】本発明の原理を説明するために使用した全反射戻り光量とＰＺＴ電圧との関係を示す特性図である。
【図４】本発明の原理を説明するために使用した規格化した全反射戻り光量と制御目標値との関係を示す特性図である。
【図５】上述の第１のＡＧＣ回路の第１の信号校正部の処理手順を示すフローチャートである。
【図６】上述の第１のＡＧＣ回路の第２の信号校正部の処理手順を示すフローチャートである。
【図７】実施例であって、校正された後のＡＰＣ電圧と全反射光量との関係を示す特性図である。
【図８】上述の第１の実施の形態の信号記録装置の効果を具体的に説明するために使用した全反射戻り光量と制御目標値との関係を示す特性図である。
【図９】上述の第１の実施の形態の信号記録装置の効果を具体的に説明するために使用した規格化した全反射戻り光量と制御目標値との関係を示す特性図である。
【図１０】ＡＰＣパワー（Ｓ1）とＡＧＣ後の全反射戻り光量（Ｓ3）との関係を示す図である。
【図１１】本発明の第２の実施の形態の信号記録装置の構成を示すブロック図である。
【図１２】本発明の第３の実施の形態の信号記録装置の構成を示すブロック図である。
【図１３】上述の第３の実施の形態の信号記録装置の第３のＡＧＣ回路の構成を示すブロック図である。
【図１４】本発明の第４の実施の形態の信号記録装置の構成を示すブロック図である。
【符号の説明】
１  レーザー素子、１４  光ヘッド、２０  フォーカス制御装置、３０  第１のＡＧＣ回路、５０  第２のＡＧＣ回路、６０  第３のＡＧＣ回路、７０  第４のＡＧＣ回路
【図１】
0004264524.tif 000002
【図２】
0004264524.tif 000003
【図３】
0004264524.tif 000004
【図４】
0004264524.tif 000005
【図５】
0004264524.tif 000006
【図６】
0004264524.tif 000007
【図７】
0004264524.tif 000008
【図８】
0004264524.tif 000009
【図９】
0004264524.tif 000010
【図１０】
0004264524.tif 000011
【図１１】
0004264524.tif 000012
【図１２】
0004264524.tif 000013
【図１３】
0004264524.tif 000014
【図１４】
0004264524.tif 000015